(57)【要約】      （修正有）【課題】  容易に長尺状に展開できる形態で折り畳まれ、風合いがよく、不織布等による表面を有する物品に貼付させた際に目立たなくできる粘着テープ又はシートを提供する。【解決手段】  一方の端部につまみ部が形成され、且つつまみ部が形成されていない端部側の部位が折り畳まれた際の表面側に位置するような形態を有しているとともに、（ａ）〜（ｃ）の構成を有し、且つつまみ部を引っ張ることにより長尺状に展開させることが可能であって、不織布製基材を支持体であることを特徴とする。（ａ）つまみ部が形成されていない端部側の部位の表面に、粘着剤層を有する構成；（ｂ）つまみ部が形成された端部側の表面に粘着剤層を有し、それに対向している面が離型処理層により剥離可能に貼り合わせられた構成；（ｃ）その他の対向している面が、粘着剤層と離型処理層との組み合わせ、又は仮着剤層どうしの組み合わせにより、剥離可能に貼り合わせられた構成【選択図】    図１
2006045417.tif 000002
【特許請求の範囲】
【請求項１】
一方の端部につまみ部が形成され、且つつまみ部が形成されていない端部側の部位が折り畳まれた際の表面側に位置するような形態で、折り畳まれた構成を有しているとともに、下記の（ａ）〜（ｃ）の構成を有しており、且つつまみ部を引っ張ることにより長尺状に展開させることが可能な粘着テープ又はシートであって、少なくとも、折り畳まれた際に主として他方の表面側に位置している部位が、不織布製基材を支持体として形成されていることを特徴とする粘着テープ又はシート。
（ａ）つまみ部が形成されていない端部側の部位の表面に、物品に貼付するための粘着剤層を有する構成
（ｂ）つまみ部が形成された端部側の部位の何れかの表面において、つまみ部が形成される形態で、物品に貼付するための粘着剤層を有し、且つつまみ部が形成された端部側の部位と、該つまみ部が形成された端部側の部位における粘着剤層が形成された面に対して対向している面を有する部位とが、離型処理層により剥離可能に貼り合わせられた構成
（ｃ）その他の対向している面を有する部位どうしが、粘着剤層と離型処理層との組み合わせ、又は仮着剤層どうしの組み合わせにより、剥離可能に貼り合わせられた構成
【請求項２】
不織布製基材における不織布が、ポリオレフィン系繊維、ポリアミド系繊維、およびポリエステル系繊維から選択された少なくとも一種の繊維により形成されている請求項１記載の粘着テープ又はシート。
【請求項３】
不織布製基材における不織布が、複数の不織布が積層された不織布多層構造を有している請求項１又は２記載の粘着テープ又はシート。
【請求項４】
不織布製基材が、不織布の一方の面に、プラスチック材料によるラミネート層が形成された積層体である請求項１〜３の何れかの項に記載の粘着テープ又はシート。
【請求項５】
不織布製基材におけるラミネート層が、ポリオレフィン系樹脂により形成されている請求項４記載の粘着テープ又はシート。
【請求項６】
不織布製基材における不織布の厚みが、５０〜５００μｍである請求項４又は５記載の粘着テープ又はシート。
【請求項７】
不織布製基材におけるラミネート層の厚みが、５〜５０μｍである請求項４〜６の何れかの項に記載の粘着テープ又はシート。
【請求項８】
折り畳まれた際に主として他方の表面側に位置している部位が、不織布製基材を支持体として形成され、その他の部位が、プラスチック製基材を支持体として形成されている請求項１〜７の何れかの項に記載の粘着テープ又はシート。
【請求項９】
一方の端部につまみ部が形成され、且つつまみ部が形成された端部側の部位およびつまみ部が形成されていない端部側の部位が、折り畳まれた際のそれぞれの表面側に位置するような形態で、且つつまみ部が形成された端部とつまみ部が形成されていない端部とが異なる方向に向いた状態となって、蛇腹状に２回以上折り曲げることにより折り畳まれた構成を有しているとともに、下記の（ａ１）〜（ｄ１）の構成を有しており、且つつまみ部を引っ張ることにより長尺状に展開させることが可能な粘着テープ又はシートであって、少なくとも、折り畳まれた際に主として表面側に位置しているつまみ部が形成された端部側の部位が、不織布製基材を支持体として形成されている請求項１〜８の何れかの項に記載の粘着テープ又はシート。
（ａ１）つまみ部が形成されていない端部側の部位の表面に、物品に貼付するための粘着剤層を有する構成
（ｂ１）つまみ部が形成された端部側の部位におけるつまみ部が形成されていない端部側の面に、つまみ部が形成される形態で、物品に貼付するための粘着剤層を有し、且つつまみ部が形成された端部側の部位と、該つまみ部が形成された端部側の部位に対して対向している部位とが、離型処理層により剥離可能に貼り合わせられた構成
（ｃ１）つまみ部が形成されていない端部側の部位と、該つまみ部が形成されていない端部側の部位に対して対向している部位とが、仮着剤層により剥離可能に貼り合わせられた構成
（ｄ１）蛇腹状に４回以上折り曲げることにより折り畳まれた構成を有している場合、折り畳まれた際の対向している折り目部間の部位どうしが、仮着剤層により剥離可能に貼り合わせられた構成
【請求項１０】
一方の端部につまみ部が形成され、且つつまみ部が形成された端部側の部位およびつまみ部が形成されていない端部側の部位が、折り畳まれた際のそれぞれの表面側に位置するような形態で、且つつまみ部が形成された端部とつまみ部が形成されていない端部とが同一方向に向いた状態となって、蛇腹状に３回以上折り曲げることにより折り畳まれた構成を有しているとともに、下記の（ａ２）〜（ｄ２）の構成を有しており、且つつまみ部を引っ張ることにより長尺状に展開させることが可能な粘着テープ又はシートであって、少なくとも、折り畳まれた際に主として表面側に位置しているつまみ部が形成された端部側の部位が、不織布製基材を支持体として形成されている請求項１〜８の何れかの項に記載の粘着テープ又はシート。
（ａ２）つまみ部が形成されていない端部側の部位の表面に、物品に貼付するための粘着剤層を有する構成
（ｂ２）つまみ部が形成された端部側の部位におけるつまみ部が形成されていない端部側の面に、つまみ部が形成される形態で、物品に貼付するための粘着剤層を有し、且つつまみ部が形成された端部側の部位と、該つまみ部が形成された端部側の部位に対して対向している部位とが、離型処理層により剥離可能に貼り合わせられた構成
（ｃ２）つまみ部が形成されていない端部側の部位に対して対向している部位におけるつまみ部が形成されていない端部側の部位側の面に粘着剤層を有し、且つつまみ部が形成されていない端部側の部位と、該つまみ部が形成されていない端部側の部位に対して対向している部位とが、離型処理層により、少なくとも部分的に剥離可能に貼り合わせられた構成
（ｄ２）折り畳まれた際の対向している折り目部間の部位どうしが、仮着剤層により剥離可能に貼り合わせられた構成
【請求項１１】
一方の端部につまみ部が形成され、且つつまみ部が形成された端部側の部位およびつまみ部が形成されていない端部側の部位が、折り畳まれた際のそれぞれの表面側に位置するような形態で、且つつまみ部が形成された端部とつまみ部が形成されていない端部とが異なる方向に向いた状態となって、蛇腹状に２回以上折り曲げることにより折り畳まれた構成を有しているとともに、つまみ部が形成されていない端部側から２つ目の折り目部が、つまみ部が形成されていない端部よりも突出した状態で折り畳まれた構成を有しており、また、且つ下記の（ａ３）〜（ｄ３）の構成を有しており、且つつまみ部を引っ張ることにより長尺状に展開させることが可能な粘着テープ又はシートであって、少なくとも、折り畳まれた際に主として表面側に位置しているつまみ部が形成された端部側の部位が、不織布製基材を支持体として形成されている請求項１〜８の何れかの項に記載の粘着テープ又はシート。
（ａ３）つまみ部が形成されていない端部側の部位の表面に、物品に貼付するための粘着剤層を有する構成
（ｂ３）つまみ部が形成された端部側の部位におけるつまみ部が形成されていない端部側の面に、つまみ部が形成される形態で、物品に貼付するための粘着剤層を有し、且つつまみ部が形成された端部側の部位と、該つまみ部が形成された端部側の部位に対して対向している部位とが、離型処理層により剥離可能に貼り合わせられた構成
（ｃ３）つまみ部が形成されていない端部側から１つ目の折り目部と、２つ目の折り目部との間の部位におけるつまみ部が形成されていない端部側の部位側の面において、つまみ部が形成されていない端部側の部位と重ね合わせられていない露出した表面に、少なくとも部分的に、長尺状に展開させるまで物品に貼付するための仮止め層を有する構成
（ｄ３）蛇腹状に４回以上折り曲げることにより折り畳まれた構成を有している場合、折り畳まれた際の対向している折り目部間の部位どうしが、剥離可能に貼り合わせられた構成
【請求項１２】
一方の端部につまみ部が形成され、且つつまみ部が形成された端部側の部位と、つまみ部が形成されていない端部側の部位とが対向しているとともに、つまみ部が形成された端部側の部位と、折り畳まれた際の何れかの折り目部間の部位とが対向し、さらに、つまみ部が形成されていない端部側の部位が折り畳まれた際の表面側に位置するとともに、折り畳まれた際の何れかの折り目部間の部位が折り畳まれた際の表面側に位置するような形態で、２回以上折り曲げることにより折り畳まれた構成を有しているとともに、下記の（ａ４）〜（ｄ４）の構成を有しており、且つつまみ部を引っ張ることにより長尺状に展開させることが可能な粘着テープ又はシートであって、少なくとも、折り畳まれた際に主として表面側に位置している折り目部間の部位が、不織布製基材を支持体として形成されている請求項１〜８の何れかの項に記載の粘着テープ又はシート。
（ａ４）つまみ部が形成されていない端部側の部位の表面に、物品に貼付するための粘着剤層を有する構成
（ｂ４）つまみ部が形成された端部側の部位における折り畳まれた際の折り目部間側の面に、つまみ部が形成される形態で、物品に貼付するための粘着剤層を有し、且つつまみ部が形成された端部側の部位と、該つまみ部が形成された端部側の部位に対して対向している折り畳まれた際の折り目部間の部位とが、離型処理層により剥離可能に貼り合わせられた構成
（ｃ４）つまみ部が形成されていない端部側の部位におけるつまみ部が形成された端部側の部位側の面に、粘着剤層を有し、且つつまみ部が形成されていない端部側の部位と、つまみ部が形成された端部側の部位とが、離型処理層により剥離可能に貼り合わせられた構成
（ｄ４）折り畳まれた際の対向している折り目部間の部位どうしが、仮着剤層により剥離可能に貼り合わせられた構成
【請求項１３】
ロール状に巻回された形態の粘着テープ又はシートの巻回体であって、請求項１〜１２の何れかの項に記載の粘着テープ又はシートが折り畳まれた状態で連続的に形成されている長尺状の連続体を、ロール状に巻回した形態を有していることを特徴とする粘着テープ又はシートの巻回体。
【請求項１４】
折り畳まれた際に他方の表面側に位置している部位を形成するための支持体としての不織布製基材の表面に、電離性放射線硬化型離型処理剤による離型処理層が形成されており、前記折り畳まれた際に他方の表面側に位置している部位の表面に形成された電離性放射線硬化型離型処理剤による離型処理層と、つまみ部が形成されていない端部側の部位の表面に形成された粘着剤層とが接触するように、ロール状に巻回されている請求項１３記載の粘着テープ又はシートの巻回体。
【請求項１５】
紙おむつを廃棄する際に丸めた状態で保持させるための拘束用粘着テープ又はシートが設けられている紙おむつであって、前記拘束用粘着テープ又はシートとして、請求項１〜１２の何れかの項に記載の粘着テープ又はシートが用いられていることを特徴とする紙おむつ。
【請求項１６】
拘束用粘着テープ又はシートが、紙おむつの背側表面におけるウエスト部の上下幅領域内に位置する部位に、長手方向が上下方向、または胴回り方向となるように貼付されている請求項１５記載の紙おむつ。
【請求項１７】
拘束用粘着テープ又はシートを長尺状に展開した際の長さが、紙おむつを丸めた状態で拘束して保持させるのに十分な長さである請求項１５又は１６の何れかの項に記載の紙おむつ。
【請求項１８】
パンツ型紙おむつである請求項１５〜１７の何れかの項に記載の紙おむつ。
【発明の詳細な説明】
【技術分野】
【０００１】
本発明は、粘着テープ又はシート、および紙おむつに関し、さらに詳しくは、容易に展開することができる形態で折り畳まれ、風合いがよく、また、不織布等の繊維質材料による表面を有する物品に貼付させた際に目立たなくすることができる粘着テープ又はシート、および該粘着テープ又はシートが設けられた紙おむつに関する。
【背景技術】
【０００２】
紙おむつ（特に、パンツ型紙おむつ）には、廃棄の際に、丸めた状態で保持させるための拘束用粘着テープ又はシートが設けられている。このような拘束用粘着テープ又はシートとしては、従来、自由端部をおむつ廃棄時に用いる止着部となしてあり、且つその伸展時に該止着部がウエスト部の開口縁部を超えて位置し得る長さを有し、固定部を含む領域、上記止着部を含む領域および上記両領域を連結する中間領域の３層からなる３つ折り状態に折りたたまれているもの（特許文献１参照）や、いずれか一方の端部の表面に、被着面に固定するための固定部を設けたテープ状の支持体を、前記固定部が外側に位置するようにほぼ二つ折りにして、当該二つ折りにした支持体を折り目側から、順次同じ方向に少なくとも１回以上繰り返して折り畳み若しくは巻回したこともの（特許文献２参照）などが提案されている。
【０００３】
【特許文献１】実公平８−１０３０５号公報
【特許文献２】特開平９−２７２８４５号公報
【発明の開示】
【発明が解決しようとする課題】
【０００４】
しかしながら、パンツ型紙おむつに用いられている従来の拘束用粘着テープ又はシートは、支持体として、プラスチックフィルム又はシート等のプラスチック製基材が用いられており、風合いはあまりよくなく、しかも、パンツ型紙おむつに貼付された状態では、拘束用粘着テープ又はシートが目立ってしまい、拘束用粘着テープ又はシートが貼付されたパンツ型紙おむつの外観性が低かった。そこで、拘束用粘着テープ又はシートが、パンツ型紙おむつに貼付されても、目立たないようにするために、拘束用粘着テープ又はシートとして、白色に着色させたプラスチックフィルム又はシート等の白色系プラスチック製基材を支持体としたものが用いられているが、それでも、やはり目立っており、風合いがよく、また、不織布等の繊維質材料による表面を有する物品に貼付させた際に目立たなくすることができる拘束用粘着テープ又はシートが求められている、
【０００５】
従って、本発明の目的は、容易に長尺状に展開することができる形態で折り畳まれ、風合いがよく、また、不織布等の繊維質材料による表面を有する物品に貼付させた際に目立たなくすることができる粘着テープ又はシートを提供することにある。
本発明の他の目的は、紙おむつを廃棄する際に丸めた状態で保持させるための拘束用粘着テープ又はシートとして好適に用いることができる粘着テープ又はシートを提供することにある。
本発明のさらに他の目的は、廃棄の際に、丸めた状態で保持させるための拘束用粘着テープ又はシートが貼付されていても、拘束用粘着テープ又はシートが目立たず、外観性が良好である紙おむつを提供することにある。
【課題を解決するための手段】
【０００６】
本発明者らは上記の問題点を解決するために鋭意検討した結果、長尺状に展開させることが可能な形態で折り畳まれた状態の粘着テープ又はシートにおける特定の部位を構成する支持体として、特定の基材を用いると、容易に長尺状に展開させることができる形態で折り畳むことができ、また、折り畳まれた際の風合いがよく、さらにまた、不織布等の繊維質材料による表面を有する物品に貼付させた際に目立たなくすることができることを見出した。本発明はこれらの知見に基づいて完成されたものである。
【０００７】
すなわち、本発明は、一方の端部につまみ部が形成され、且つつまみ部が形成されていない端部側の部位が折り畳まれた際の表面側に位置するような形態で、折り畳まれた構成を有しているとともに、下記の（ａ）〜（ｃ）の構成を有しており、且つつまみ部を引っ張ることにより長尺状に展開させることが可能な粘着テープ又はシートであって、少なくとも、折り畳まれた際に主として他方の表面側に位置している部位が、不織布製基材を支持体として形成されていることを特徴とする粘着テープ又はシートである。
（ａ）つまみ部が形成されていない端部側の部位の表面に、物品に貼付するための粘着剤層を有する構成
（ｂ）つまみ部が形成された端部側の部位の何れかの表面において、つまみ部が形成される形態で、物品に貼付するための粘着剤層を有し、且つつまみ部が形成された端部側の部位と、該つまみ部が形成された端部側の部位における粘着剤層が形成された面に対して対向している面を有する部位とが、離型処理層により剥離可能に貼り合わせられた構成
（ｃ）その他の対向している面を有する部位どうしが、粘着剤層と離型処理層との組み合わせ、又は仮着剤層どうしの組み合わせにより、剥離可能に貼り合わせられた構成
【０００８】
本発明の粘着テープ又はシートとしては、不織布製基材における不織布が、ポリオレフィン系繊維、ポリアミド系繊維、およびポリエステル系繊維から選択された少なくとも一種の繊維により形成されていることが好ましく、不織布製基材における不織布が、複数の不織布が積層された不織布多層構造を有していることが好ましい。また、不織布製基材としては、不織布の一方の面に、プラスチック材料によるラミネート層が形成された積層体であることが好適であり、不織布製基材におけるラミネート層としては、ポリオレフィン系樹脂により形成されていることが好ましい。不織布製基材における不織布の厚みは、５０〜５００μｍであってもよく、また、不織布製基材におけるラミネート層の厚みは、５〜５０μｍであってもよい。さらにまた、折り畳まれた際に主として他方の表面側に位置している部位が、不織布製基材を支持体として形成され、その他の部位が、プラスチック製基材を支持体として形成されていることが好ましい。
【０００９】
前記粘着テープ又はシートは、一方の端部につまみ部が形成され、且つつまみ部が形成された端部側の部位およびつまみ部が形成されていない端部側の部位が、折り畳まれた際のそれぞれの表面側に位置するような形態で、且つつまみ部が形成された端部とつまみ部が形成されていない端部とが異なる方向に向いた状態となって、蛇腹状に２回以上折り曲げることにより折り畳まれた構成を有しているとともに、下記の（ａ１）〜（ｄ１）の構成を有しており、且つつまみ部を引っ張ることにより長尺状に展開させることが可能な粘着テープ又はシートであって、少なくとも、折り畳まれた際に主として表面側に位置しているつまみ部が形成された端部側の部位が、不織布製基材を支持体として形成されている粘着テープ又はシートであってもよい。
（ａ１）つまみ部が形成されていない端部側の部位の表面に、物品に貼付するための粘着剤層を有する構成
（ｂ１）つまみ部が形成された端部側の部位におけるつまみ部が形成されていない端部側の面に、つまみ部が形成される形態で、物品に貼付するための粘着剤層を有し、且つつまみ部が形成された端部側の部位と、該つまみ部が形成された端部側の部位に対して対向している部位とが、離型処理層により剥離可能に貼り合わせられた構成
（ｃ１）つまみ部が形成されていない端部側の部位と、該つまみ部が形成されていない端部側の部位に対して対向している部位とが、仮着剤層により剥離可能に貼り合わせられた構成
（ｄ１）蛇腹状に４回以上折り曲げることにより折り畳まれた構成を有している場合、折り畳まれた際の対向している折り目部間の部位どうしが、仮着剤層により剥離可能に貼り合わせられた構成
【００１０】
また、前記粘着テープ又はシートは、一方の端部につまみ部が形成され、且つつまみ部が形成された端部側の部位およびつまみ部が形成されていない端部側の部位が、折り畳まれた際のそれぞれの表面側に位置するような形態で、且つつまみ部が形成された端部とつまみ部が形成されていない端部とが同一方向に向いた状態となって、蛇腹状に３回以上折り曲げることにより折り畳まれた構成を有しているとともに、下記の（ａ２）〜（ｄ２）の構成を有しており、且つつまみ部を引っ張ることにより長尺状に展開させることが可能な粘着テープ又はシートであって、少なくとも、折り畳まれた際に主として表面側に位置しているつまみ部が形成された端部側の部位が、不織布製基材を支持体として形成されている粘着テープ又はシートであってもよい。
（ａ２）つまみ部が形成されていない端部側の部位の表面に、物品に貼付するための粘着剤層を有する構成
（ｂ２）つまみ部が形成された端部側の部位におけるつまみ部が形成されていない端部側の面に、つまみ部が形成される形態で、物品に貼付するための粘着剤層を有し、且つつまみ部が形成された端部側の部位と、該つまみ部が形成された端部側の部位に対して対向している部位とが、離型処理層により剥離可能に貼り合わせられた構成
（ｃ２）つまみ部が形成されていない端部側の部位に対して対向している部位におけるつまみ部が形成されていない端部側の部位側の面に粘着剤層を有し、且つつまみ部が形成されていない端部側の部位と、該つまみ部が形成されていない端部側の部位に対して対向している部位とが、離型処理層により、少なくとも部分的に剥離可能に貼り合わせられた構成
（ｄ２）折り畳まれた際の対向している折り目部間の部位どうしが、仮着剤層により剥離可能に貼り合わせられた構成
【００１１】
さらに、前記粘着テープ又はシートは、一方の端部につまみ部が形成され、且つつまみ部が形成された端部側の部位およびつまみ部が形成されていない端部側の部位が、折り畳まれた際のそれぞれの表面側に位置するような形態で、且つつまみ部が形成された端部とつまみ部が形成されていない端部とが異なる方向に向いた状態となって、蛇腹状に２回以上折り曲げることにより折り畳まれた構成を有しているとともに、つまみ部が形成されていない端部側から２つ目の折り目部が、つまみ部が形成されていない端部よりも突出した状態で折り畳まれた構成を有しており、また、且つ下記の（ａ３）〜（ｄ３）の構成を有しており、且つつまみ部を引っ張ることにより長尺状に展開させることが可能な粘着テープ又はシートであって、少なくとも、折り畳まれた際に主として表面側に位置しているつまみ部が形成された端部側の部位が、不織布製基材を支持体として形成されている粘着テープ又はシートであってもよい。
（ａ３）つまみ部が形成されていない端部側の部位の表面に、物品に貼付するための粘着剤層を有する構成
（ｂ３）つまみ部が形成された端部側の部位におけるつまみ部が形成されていない端部側の面に、つまみ部が形成される形態で、物品に貼付するための粘着剤層を有し、且つつまみ部が形成された端部側の部位と、該つまみ部が形成された端部側の部位に対して対向している部位とが、離型処理層により剥離可能に貼り合わせられた構成
（ｃ３）つまみ部が形成されていない端部側から１つ目の折り目部と、２つ目の折り目部との間の部位におけるつまみ部が形成されていない端部側の部位側の面において、つまみ部が形成されていない端部側の部位と重ね合わせられていない露出した表面に、少なくとも部分的に、長尺状に展開させるまで物品に貼付するための仮止め層を有する構成
（ｄ３）蛇腹状に４回以上折り曲げることにより折り畳まれた構成を有している場合、折り畳まれた際の対向している折り目部間の部位どうしが、剥離可能に貼り合わせられた構成
【００１２】
さらにまた、前記粘着テープ又はシートは、一方の端部につまみ部が形成され、且つつまみ部が形成された端部側の部位と、つまみ部が形成されていない端部側の部位とが対向しているとともに、つまみ部が形成された端部側の部位と、折り畳まれた際の何れかの折り目部間の部位とが対向し、さらに、つまみ部が形成されていない端部側の部位が折り畳まれた際の表面側に位置するとともに、折り畳まれた際の何れかの折り目部間の部位が折り畳まれた際の表面側に位置するような形態で、２回以上折り曲げることにより折り畳まれた構成を有しているとともに、下記の（ａ４）〜（ｄ４）の構成を有しており、且つつまみ部を引っ張ることにより長尺状に展開させることが可能な粘着テープ又はシートであって、少なくとも、折り畳まれた際に主として表面側に位置している折り目部間の部位が、不織布製基材を支持体として形成されている粘着テープ又はシートであってもよい。
（ａ４）つまみ部が形成されていない端部側の部位の表面に、物品に貼付するための粘着剤層を有する構成
（ｂ４）つまみ部が形成された端部側の部位における折り畳まれた際の折り目部間側の面に、つまみ部が形成される形態で、物品に貼付するための粘着剤層を有し、且つつまみ部が形成された端部側の部位と、該つまみ部が形成された端部側の部位に対して対向している折り畳まれた際の折り目部間の部位とが、離型処理層により剥離可能に貼り合わせられた構成
（ｃ４）つまみ部が形成されていない端部側の部位におけるつまみ部が形成された端部側の部位側の面に、粘着剤層を有し、且つつまみ部が形成されていない端部側の部位と、つまみ部が形成された端部側の部位とが、離型処理層により剥離可能に貼り合わせられた構成
（ｄ４）折り畳まれた際の対向している折り目部間の部位どうしが、仮着剤層により剥離可能に貼り合わせられた構成
【００１３】
本発明は、また、ロール状に巻回された形態の粘着テープ又はシートの巻回体であって、前記粘着テープ又はシートが折り畳まれた状態で連続的に形成されている長尺状の連続体を、ロール状に巻回した形態を有していることを特徴とする粘着テープ又はシートの巻回体を提供する。この粘着テープ又はシートの巻回体としては、折り畳まれた際に他方の表面側に位置している部位を形成するための支持体としての不織布製基材の表面に、電離性放射線硬化型離型処理剤による離型処理層が形成されており、前記折り畳まれた際に他方の表面側に位置している部位の表面に形成された電離性放射線硬化型離型処理剤による離型処理層と、つまみ部が形成されていない端部側の部位の表面に形成された粘着剤層とが接触するように、ロール状に巻回されていることが好ましい。
【００１４】
本発明は、さらに、紙おむつを廃棄する際に丸めた状態で保持させるための拘束用粘着テープ又はシートが設けられている紙おむつであって、前記拘束用粘着テープ又はシートとして、前記粘着テープ又はシートが用いられていることを特徴とする紙おむつを提供する。本発明の紙おむつでは、束用粘着テープ又はシートが、紙おむつの背側表面におけるウエスト部の上下幅領域内に位置する部位に、長手方向が上下方向、または胴回り方向となるように貼付されていてもよい。拘束用粘着テープ又はシートを長尺状に展開した際の長さが、紙おむつを丸めた状態で拘束して保持させるのに十分な長さであることが好ましい。紙おむつとしては、パンツ型紙おむつが好適である。
【発明の効果】
【００１５】
本発明の粘着テープ又はシートによれば、容易に長尺状に展開することができる形態で折り畳まれ、容易に展開することができる形態で折り畳まれ、風合いがよく、また、不織布等の繊維質材料による表面を有する物品に貼付させた際に目立たなくすることができる。従って、紙おむつを廃棄する際に丸めた状態で保持させるための拘束用粘着テープ又はシートとして好適に用いることができる。
【００１６】
また、本発明の紙おむつによれば、廃棄の際に、丸めた状態で保持させるための拘束用粘着テープ又はシートが貼付されていても、拘束用粘着テープ又はシートが目立たず、外観性が良好である。
【発明を実施するための最良の形態】
【００１７】
以下に、本発明の実施の形態を、必要に応じて図面を参照しつつ詳細に説明する。なお、同一の部材や部位などには同一の符号を付している場合がある。
［粘着テープ又はシート］
図１は、本発明の粘着テープ又はシートの一例を示す概略断面図である。図１において、１は粘着テープ又はシート（「粘着テープ」と称する場合がある）、１ａ１はつまみ部が形成された端部（「つまみ部形成端部」と称する場合がある）、１ａ２はつまみ部が形成されていない端部（「つまみ部非形成端部」と称する場合がある）、１ａ３はＺ字状（Ｓ字状）に２回折り曲げて折り畳まれた構成におけるつまみ部非形成端部１ａ２側から１つ目の折り目部（「第１折り目部」と称する場合がある）、１ａ４はＺ字状に２回折り曲げて折り畳まれた構成におけるつまみ部非形成端部１ａ２側から２つ目の折り目部（「第２折り目部」と称する場合がある）、１ｂ１はつまみ部が形成された端部側の部位（「展開部位」と称する場合がある）、１ｂ２はつまみ部が形成されていない端部側の部位（「貼付部位」と称する場合がある）、１ｂ３は展開部位１ｂ１と貼付部位１ｂ２との間の部位（「折り目部間部位」と称する場合がある）、２ａは不織布製基材、２ｂはプラスチック製基材、３ａは粘着剤層（「貼付粘着剤層」と称する場合がある）、３ｂは仮着剤層（「第１仮着剤層」と称する場合がある）、３ｃは仮着剤層（「第２仮着剤層」と称する場合がある）、３ｄは粘着剤層（「一体化粘着剤層」と称する場合がある）、３ｅは離型処理層（「展開粘着剤層用離型処理層」と称する場合がある）、３ｆは粘着剤層（「展開粘着剤層」と称する場合がある）、３ｇは離型処理層（「貼付粘着剤層用離型処理層」と称する場合がある）、３ｈはつまみ部である。
【００１８】
具体的には、粘着テープ１は、不織布製基材２ａとプラスチック製基材２ｂとが、一体化粘着剤層３ｄを利用した接着により一体化された構成の基材（「支持体２」と称する場合がある）を支持体としており、該支持体２は、第１折り目部１ａ３、第２折り目部１ａ４の２箇所の折り目部でＺ字状（Ｓ字状）に２回折り曲げて折り畳まれた構成を有している。なお、展開部位１ｂ１と折り目部間部位１ｂ３との境界部が第２折り目部１ａ４となっており、折り目部間部位１ｂ３と貼付部位１ｂ２との境界部が第１折り目部１ａ３となっている。展開部位１ｂ１の端部に位置する部位は、つまみ部３ｈとなっている。このような支持体２において、不織布製基材２ａは、主として、折り畳まれた状態で物品に貼付した際に表面側に位置している部位である展開部位１ｂ１を構成しており、一方、プラスチック製基材２ｂは、主として、折り畳まれた状態で物品に貼付した際に物品側に位置している部位である貼付部位１ｂ２と、折り目部間部位１ｂ３とを構成している。
【００１９】
このように、粘着テープ１は、折り畳まれた状態で物品に貼付した際に、主として表面側に位置している部位である展開部位１ｂ１が、不織布製基材２ａを支持体として形成されているので、風合いがよく、また、不織布等の繊維質材料による表面を有する物品に貼付させた際には目立たず、物品の外観性を良好とすることができる。
【００２０】
なお、展開部位１ｂ１において、折り目部間部位１ｂ３側の面には物品に貼付するための展開粘着剤層３ｆが、つまみ部が形成される形態で形成され、また、外面側の面には貼付粘着剤層用離型処理層３ｇが全面的に形成されている。折り目部間部位１ｂ３において、貼付部位１ｂ２側の面には、長尺状に展開させるまで、貼付部位１ｂ２と剥離可能に貼り合わせるための第２仮着剤層３ｃが形成され、展開部位１ｂ１側の面には、展開粘着剤層用離型処理層３ｅが全面的に形成されている。貼付部位１ｂ２において、表面側の面には物品に貼付するための貼付粘着剤層３ａが全面的に形成され、折り目部間部位１ｂ３側の面には、長尺状に展開させるまで、折り目部間部位１ｂ３と剥離可能に貼り合わせるための第１仮着剤層３ｂが形成されている。
【００２１】
従って、展開部位１ｂ１は折り目部間部位１ｂ３に剥離可能なように貼り合わせられている。また、折り目部間部位１ｂ３と貼付部位１ｂ２とは剥離可能なように仮着されている。すなわち、粘着テープ１において、支持体２の各部位１ｂ１、１ｂ３、１ｂ２の対面する部位同士の面は、剥離可能なように貼り合わせられている。そのため、粘着テープ１は、つまみ部形成端部１ａ１に形成されているつまみ部３ｈを引っ張ることにより、貼付部位１ｂ２におけるつまみ部非形成端部１ａ２から第１折り目部１ａ３の方向に長尺状に展開させることができる。例えば、貼付部位１ｂ２の貼付粘着剤層３ａを利用して、折り畳まれた状態の粘着テープ１を物品に貼付させた状態で（このとき、貼付部位１ｂ２が物品に貼付により固定されている）、つまみ部３ｈを、第２折り目部１ａ４からつまみ部形成端部１ａ１又はつまみ部３ｈの方向に（すなわち、図１では左の方向）に引っ張ることにより、展開部位１ｂ１と折り目部間部位１ｂ３との界面、および折り目部間部位１ｂ３と貼付部位１ｂ２との界面で剥離が生じて、貼付部位１ｂ２のみが物品に強く固定された状態で、容易に長尺状に展開させることができる。なお、長尺状に展開させる方向としては、つまみ部非形成端部１ａ２から、第１折り目部１ａ３の方向（図１では左の方向）であり、貼付部位１ｂ２、又は貼付部位１ｂ２の第１折り目部１ａ３側の端部を起点にしている。
【００２２】
なお、図１などは、層構成が明確になるように図示されているため、第１折り目部１ａ３や第２折り目部１ａ４は、厚み方向に幅があり、該幅の上下部の２カ所で折られている形態で表現されているが、実際は、折り畳む際の方法に応じて、Ｕ字型に折られた形態、Ｖ字型に折られた形態などの各種形態で折られた形態となる。
【００２３】
本発明の粘着テープ又はシート（「折り畳み型粘着テープ又はシート」と称する場合がある）としては、図１で示されるように、折り畳まれた状態で物品に貼付した際に、少なくとも、主として表面側に位置している部位が、不織布製基材を支持体として形成されていることが重要であり、その他の構成については特に制限されない。例えば、折り畳み型粘着テープ又はシートとしては、図２〜４で示されるような構成を有していてもよい。
【００２４】
図２は、本発明の粘着テープ又はシートの他の例を示す概略断面図である。図２において、１１は粘着テープ又はシート（「粘着テープ」と称する場合がある）、１１ａ１はつまみ部が形成された端部（つまみ部形成端部）、１１ａ２はつまみ部が形成されていない端部（つまみ部非形成端部）、１１ａ３はＷ字状に３回折り曲げて折り畳まれた構成におけるつまみ部非形成端部１１ａ２側から１つ目の折り目部（第１折り目部）、１１ａ４はＷ字状に３回折り曲げて折り畳まれた構成におけるつまみ部非形成端部１１ａ２側からから２つ目の折り目部（第２折り目部）、１１ａ５はＷ字状に３回折り曲げて折り畳まれた構成におけるつまみ部非形成端部１１ａ２側からから３つ目の折り目部（「第３折り目部」と称する場合がある）、１１ｂ１はつまみ部が形成された端部側の部位（展開部位）、１１ｂ２はつまみ部が形成されていない端部側の部位（貼付部位）、１１ｂ３は貼付部位１１ｂ２と対向している折り目部間の部位（「貼付側折り目部間部位」と称する場合がある）、１１ｂ４は展開部位１１ｂ１と対向している折り目部間の部位（「展開側折り目部間部位」と称する場合がある）、２１ａは不織布製基材、２１ｂはプラスチック製基材、３１ａは粘着剤層（貼付粘着剤層）、３１ｂは離型処理層（「固定粘着剤層用離型処理層」と称する場合がある）、３１ｃは粘着剤層（「固定粘着剤層」と称する場合がある）、３１ｄは仮着剤層（第１仮着剤層）、３１ｅは仮着剤層（第２仮着剤層）、３１ｆは粘着剤層（一体化粘着剤層）、３１ｇは離型処理層（展開粘着剤層用離型処理層）、３１ｈは粘着剤層（展開粘着剤層）、３１ｉは離型処理層（貼付粘着剤層用離型処理層）、３１ｊはつまみ部である。
【００２５】
具体的には、粘着テープ１１は、不織布製基材２１ａとプラスチック製基材２１ｂとが、一体化粘着剤層３１ｆを利用した接着により一体化された構成の基材（「支持体２１」と称する場合がある）を支持体としており、該支持体２１は、第１折り目部１１ａ３、第２折り目部１１ａ４、第３折り目部１１ａ５の３箇所の折り目部でＷ字状に３回折り曲げて折り畳まれた構成を有している。なお、展開部位１１ｂ１と展開側折り目部間部位１１ｂ４との境界部が第３折り目部１１ａ５となっており、展開側折り目部間部位１１ｂ４と貼付側折り目部間部位１１ｂ３との境界部が第２折り目部１１ａ４となっており、貼付側折り目部間部位１１ｂ３と貼付部位１１ｂ２との境界部が第１折り目部１１ａ３となっている。展開部位１１ｂ１の端部に位置する部位は、つまみ部３１ｊとなっている。このような支持体２１において、不織布製基材２１ａは、主として、折り畳まれた状態で物品に貼付した際に表面側に位置している部位である展開部位１１ｂ１を構成しており、一方、プラスチック製基材２１ｂは、主として、折り畳まれた状態で物品に貼付した際に物品側に位置している部位である貼付部位１１ｂ２と、展開側折り目部間部位１１ｂ４と、貼付側折り目部間部位１１ｂ３を構成している。
【００２６】
このように、図２で示される粘着テープ１１は、図１で示される粘着テープ１と同様に、折り畳まれた状態で物品に貼付した際に、主として表面側に位置している部位である展開部位１１ｂ１が、不織布製基材２１ａを支持体として形成されているので、風合いがよく、また、不織布等の繊維質材料による表面を有する物品に貼付させた際には目立たず、物品の外観性を良好とすることができる。
【００２７】
なお、展開部位１１ｂ１において、展開側折り目部間部位１１ｂ４側の面には物品に貼付するための展開粘着剤層３１ｈが、つまみ部が形成される形態で形成され、また、外面側の面には貼付粘着剤層用離型処理層３１ｉが全面的に形成されている。展開側折り目部間部位１１ｂ４において、展開部位１１ｂ１側の面には、展開部位１１ｂ１の展開粘着剤層３１ｈと剥離可能に貼り合わせるための展開粘着剤層用離型処理層３１ｇが形成され、また、貼付側折り目部間部位１１ｂ３側の面には、長尺状に展開させるまで、貼付側折り目部間部位１１ｂ３と剥離可能に貼り合わせるための第２仮着剤層３１ｅが形成されている。貼付側折り目部間部位１１ｂ３において、貼付部位１１ｂ２側の面には、固定粘着剤層３１ｃが形成され、展開側折り目部間部位１１ｂ４側の面には、長尺状に展開させるまで、展開側折り目部間部位１１ｂ４と剥離可能に貼り合わせるための第１仮着剤層３１ｄが形成されている。貼付部位１１ｂ２において、表面側の面には物品に貼付するための貼付粘着剤層３１ａが全面的に形成され、貼付側折り目部間部位１１ｂ３側の面には、長尺状に展開させるまで、貼付側折り目部間部位１１ｂ３の固定粘着剤層３１ｃと剥離可能に貼り合わせるための固定粘着剤層用離型処理層３１ｂが形成されている。
【００２８】
従って、展開部位１１ｂ１は展開側折り目部間部位１１ｂ４に剥離可能なように貼り合わせられている。また、展開側折り目部間部位１１ｂ４と貼付側折り目部間部位１１ｂ３とは剥離可能なように仮着されている。さらに、貼付側折り目部間部位１１ｂ３は貼付部位１１ｂ２に剥離可能なように貼り合わせられている。すなわち、粘着テープ１１において、支持体２１の各部位１１ｂ１、１１ｂ４、１１ｂ３、１１ｂ２の対面する部位同士の面は、剥離可能なように貼り合わせられている。そのため、粘着テープ１１は、つまみ部形成端部１１ａ１に形成されているつまみ部３１ｊを引っ張ることにより、貼付部位１１ｂ２における第１折り目部１１ａ３からつまみ部非形成端部１１ａ２の方向に長尺状に展開させることができる。例えば、貼付部位１１ｂ２の貼付粘着剤層３１ａを利用して、折り畳まれた状態の粘着テープ１１を物品に貼付させた状態で（このとき、貼付部位１１ｂ２が物品に貼付により固定されている）、つまみ部３１ｊを、第３折り目部１１ａ５からつまみ部形成端部１１ａ１又はつまみ部３１ｊの方向に（すなわち、図２では左の方向）に引っ張ることにより、展開部位１１ｂ１と展開側折り目部間部位１１ｂ４との界面、展開側折り目部間部位１１ｂ４と貼付側折り目部間部位１１ｂ３との界面、および貼付側折り目部間部位１１ｂ３と貼付部位１１ｂ２との界面で剥離が生じて、貼付部位１１ｂ２のみが物品に強く固定された状態で、容易に長尺状に展開させることができる。なお、長尺状に展開させる方向としては、第１折り目部１１ａ３から、つまみ部非形成端部１１ａ２の方向（図１では左の方向）であり、貼付部位１１ｂ２、又は貼付部位１１ｂ２の第１折り目部１１ａ３側の端部を起点にしている。
【００２９】
また、図３は、本発明の粘着テープ又はシートの他の例を示す概略断面図である。図３において、１２は粘着テープ又はシート（粘着テープ）、１２ａ１はつまみ部が形成された端部（つまみ部形成端部）、１２ａ２はつまみ部が形成されていない端部（つまみ部非形成端部）、１２ａ３はＺ字状（Ｓ字状）に２回折り曲げて折り畳まれた構成におけるつまみ部非形成端部１２ａ２側から１つ目の折り目部（第１折り目部）、１２ａ４はＺ字状に２回折り曲げて折り畳まれた構成におけるつまみ部非形成端部１２ａ２側から２つ目の折り目部（第２折り目部）、１２ｂ１はつまみ部が形成された端部側の部位（展開部位）、１２ｂ２はつまみ部が形成されていない端部側の部位（貼付部位）、１２ｂ３は展開部位１２ｂ１と貼付部位１２ｂ２との間の部位（折り目部間部位）、２２ａは不織布製基材、２２ｂはプラスチック製基材、３２ａは粘着剤層（貼付粘着剤層）、３２ｂは仮止め層、３２ｃは粘着剤層（一体化粘着剤層）、３２ｄは離型処理層（展開粘着剤層用離型処理層）、３２ｅは粘着剤層（展開粘着剤層）、３２ｆは離型処理層（貼付粘着剤層用離型処理層）、３２ｇはつまみ部である。また、Ｘは貼付部位１２ｂ２の長さ、Ｙは１−２折り目部間部位１２ｂ３の長さ、Ｚは展開部位１２ｂ１の長さである。
【００３０】
具体的には、粘着テープ１２は、不織布製基材２２ａとプラスチック製基材２２ｂとが、一体化粘着剤層３２ｃを利用した接着により一体化された構成の基材（「支持体２２」と称する場合がある）を支持体としており、該支持体２２は、折り目部間部位１２ｂ３の第２折り目部１２ａ４が、つまみ部非形成端部１２ａ２よりも突出した状態となるように、第１折り目部１２ａ３、第２折り目部１２ａ４の２箇所の折り目部でＺ字状（Ｓ字状）に２回折り曲げて折り畳まれた構成を有している。なお、展開部位１２ｂ１と折り目部間部位１２ｂ３との境界部が第２折り目部１２ａ４となっており、折り目部間部位１２ｂ３と貼付部位１２ｂ２との境界部が第１折り目部１２ａ３となっている。展開部位１２ｂ１の端部に位置する部位は、つまみ部３２ｇとなっている。このような支持体２２において、不織布製基材２２ａは、主として、折り畳まれた状態で物品に貼付した際に表面側に位置している部位である展開部位１２ｂ１を構成しており、一方、プラスチック製基材２２ｂは、主として、折り畳まれた状態で物品に貼付した際に物品側に位置している部位である貼付部位１２ｂ２と、折り目部間部位１２ｂ３とを構成している。
【００３１】
このように、粘着テープ１２は、折り畳まれた状態で物品に貼付した際に、主として表面側に位置している部位である展開部位１２ｂ１が、不織布製基材２２ａを支持体として形成されているので、風合いがよく、また、不織布等の繊維質材料による表面を有する物品に貼付させた際には目立たず、物品の外観性を良好とすることができる。
【００３２】
なお、展開部位１２ｂ１において、折り目部間部位１２ｂ３側の面には物品に貼付するための展開粘着剤層３２ｅが、つまみ部が形成される形態で形成され、また、外面側の面には貼付粘着剤層用離型処理層３２ｆが全面的に形成されている。折り目部間部位１２ｂ３において、貼付部位１２ｂ２側の面には、貼付部位１２ｂ２と重ね合わされていない露出した表面に部分的に長尺状に展開させるまで物品に貼付するための仮止め層３２ｂが形成され、展開部位１２ｂ１側の面には、展開粘着剤層用離型処理層３２ｄが全面的に形成されている。貼付部位１２ｂ２において、表面側の面には物品に貼付するための貼付粘着剤層３２ａが全面的に形成されている。
【００３３】
従って、展開部位１２ｂ１は折り目部間部位１２ｂ３に剥離可能なように貼り合わせられている。一方、折り目部間部位１２ｂ３と貼付部位１２ｂ２とは直接接触して重ね合わせられているだけであり、粘着剤層等により貼り合わされていない。また、折り目部間部位１２ｂ３に設けられた仮止め層は、長尺状に展開させるまでの間、物品に貼付して仮止めするために設けられており、長尺状に展開させる際には、物品から容易に剥離させることが可能である。すなわち、粘着テープ１２において、展開部位１２ｂ１と折り目部間部位１２ｂ３との対面する面は、剥離可能なように貼り合わされているとともに、折り目部間部位１２ｂ３は、剥離可能なように、物品に貼り合わせることができる。そのため、粘着テープ１２は、つまみ部形成端部１１ａ１に形成されているつまみ部３ｇを引っ張ることにより、貼付部位１２ｂ２におけるつまみ部非形成端部１２ａ２から第１折り目部１２ａ３の方向に長尺状に展開させることができる。例えば、貼付部位１２ｂ２の貼付粘着剤層３２ａと折り目部間部位１２ｂ３の仮止め層３２ｂとを利用して、折り畳まれた状態の粘着テープ１２を物品に貼付させた状態で（このとき、貼付部位１２ｂ２が物品に貼付により固定されており、折り目部間部位１２ｂ３は、長尺状に展開させるまでの間、物品に仮止めされている）、つまみ部３２ｇを、第２折り目部１２ａ４からつまみ部形成端部１２ａ１又はつまみ部３２ｇの方向に（すなわち、図３では左の方向）に引っ張ることにより、展開部位１２ｂ２と折り目部間部位１２ｂ３との界面、および折り目部間部位１２ｂ３と物品との界面で剥離が生じて、貼付部位１２ｂ２のみが物品に強く固定された状態で、容易に長尺状に展開させることができる。もちろん、折り目部間部位１２ｂ３が物品から剥離する際には、物品には、破損等のダメージが生じていない。なお、長尺状に展開させる方向としては、つまみ部非形成端部１２ａ２から、第１折り目部１２ａ３の方向（図３では左の方向）であり、貼付部位１２ｂ２又は貼付部位１２ｂ２の第１折り目部１２ａ３側の端部を起点にしている。
【００３４】
さらにまた、図４は、本発明の粘着テープ又はシートの他の例を示す概略断面図である。図４において、１３は粘着テープ又はシート（粘着テープ）、１３ａ１はつまみ部が形成された端部（つまみ部形成端部）、１３ａ２はつまみ部が形成されていない端部（つまみ部非形成端部）、１３ａ３はつまみ部形成端部１３ａ１がつまみ部非形成端部１３ａ２より突出した状態となるように折り畳まれ、且つ前記折り畳まれた際の折り目部がつまみ部形成端部１３ａ１側の面に、該つまみ部形成端部１３ａ１よりも手前側に位置する状態となるように折り畳まれた構成におけるつまみ部非形成端部１３ａ２側から１つ目の折り目部（第１折り目部）、１３ａ４はつまみ部形成端部１３ａ１がつまみ部非形成端部１３ａ２より突出した状態となるように折り畳まれ、且つ前記折り畳まれた際の折り目部がつまみ部形成端部１３ａ１側の面に、該つまみ部形成端部１３ａ１よりも手前側に位置する状態となるように折り畳まれた構成におけるつまみ部非形成端部１３ａ２側から２つ目の折り目部（第２折り目部）、１３ａ５はつまみ部形成端部１３ａ１がつまみ部非形成端部１３ａ２より突出した状態となるように折り畳まれ、且つ前記折り畳まれた際の折り目部がつまみ部形成端部１３ａ１側の面に、該つまみ部形成端部１３ａ１よりも手前側に位置する状態となるように折り畳まれた構成におけるつまみ部非形成端部１３ａ２側から３つ目の折り目部（第３折り目部）、１３ｂ１はつまみ部が形成された端部側の部位（展開部位）、１３ｂ２はつまみ部が形成されていない端部側の部位（貼付部位）、１３ｂ３は展開部位１３ｂ１と対向している折り目部間の部位（展開側折り目部間部位）、１３ｂ４は展開側折り目部間部位１３ｂ３と対向している外面側の折り目部間の部位（「外面側折り目部間部位」と称する場合がある）、２３ａはプラスチック製基材、２３ｂは不織布製基材、２３ｃはプラスチック製基材、３３ａは粘着剤層（貼付粘着剤層）、３３ｂは粘着剤層（「貼付側一体化粘着剤層」と称する場合がある）、３３ｃは粘着剤層（固定粘着剤層）、３３ｄは離型処理層（固定粘着剤層用離型処理層）、３３ｅは粘着剤層（展開粘着剤層）、３３ｆは離型処理層（展開粘着剤層用離型処理層）、３３ｇは粘着剤層（「展開側一体化粘着剤層」と称する場合がある）、３３ｈは仮着剤層（第１仮着剤層）、３３ｉは仮着剤層（第２仮着剤層）、３３ｊは離型処理層（貼付粘着剤層用離型処理層）、３３ｋはつまみ部である。
【００３５】
具体的には、粘着テープ１３は、不織布製基材２３ｂと、プラスチック製基材２３ａとが、貼付側一体化粘着剤層３３ｂを利用した接着により、不織布製基材２３ｂと、およびプラスチック製基材２３ｃとが、展開側一体化粘着剤層３３ｇを利用した接着により、一体化された構成の基材（「支持体２３」と称する場合がある）を支持体としており、該支持体２３は、第１折り目部１３ａ３、第２折り目部１３ａ４、第３折り目部１３ａ５の３箇所の折り目部で、つまみ部形成端部１３ａ１がつまみ部非形成端部１３ａ２より突出した状態となるように、且つ前記折り畳まれた際の折り目部（第２折り目部１３ａ４）がつまみ部形成端部１３ａ１側の面に、該つまみ部形成端部１３ａ１よりも手前側に位置する状態となるように、折り曲げて折り畳まれた構成を有している。なお、展開部位１３ｂ１と展開側折り目部間部位１３ｂ３との境界部が第３折り目部１３ａ５となっており、展開側折り目部間部位１３ｂ３と外面側折り目部間部位１３ｂ４との境界部が第２折り目部１３ａ４となっており、外面側折り目部間部位１３ｂ４と貼付部位１３ｂ２との境界部が第１折り目部１３ａ３となっている。展開部位１３ｂ１の端部に位置する部位は、つまみ部３３ｋとなっている。このような支持体２３において、不織布製基材２３ｂは、主として、折り畳まれた状態で物品に貼付した際に表面側に位置している部位である外面側折り目部間部位１３ｂ４を構成しており、一方、プラスチック製基材２３ａは、主として、折り畳まれた状態で物品に貼付した際に物品側に位置している部位である貼付部位１３ｂ２を構成しており、また、プラスチック製基材２３ｃは、主として、折り畳まれた状態で物品に貼付した際に内部側に位置している部位である展開部位１３ｂ１と、展開側折り目部間部位１３ｂ３とを構成している。
【００３６】
このように、粘着テープ１３は、折り畳まれた状態で物品に貼付した際に主として表面側に位置している部位である外面側折り目部間部位１３ｂ４が、不織布製基材２３ｂを支持体として形成されているので、風合いがよく、また、不織布等の繊維質材料による表面を有する物品に貼付させた際には目立たず、物品の外観性を良好とすることができる。
【００３７】
なお、展開部位１３ｂ１において、展開側折り目部間部位１３ｂ３側の面には物品に貼付するための展開粘着剤層３３ｅが、つまみ部が形成される形態で形成され、また、貼付部位１３ｂ２側の面には、長尺状に展開させるまで、貼付部位１３ｂ２の固定粘着剤層３３ｃと剥離可能に貼り合わせるための固定粘着剤層用離型処理層３３ｄが形成されている。展開側折り目部間部位１３ｂ３において、展開部位１３ｂ１側の面には、展開部位１３ｂ１の展開粘着剤層３３ｅと剥離可能に貼り合わせるための展開粘着剤層用離型処理層３３ｆが形成され、外面側折り目部間部位１３ｂ４側の面には、長尺状に展開させるまで、外面側折り目部間部位１３ｂ４と剥離可能に貼り合わせるための第１仮着剤層３３ｈが形成されている。外面側折り目部間部位１３ｂ４において、展開側折り目部間部位１３ｂ３側の面には、長尺状に展開させるまで、展開側折り目部間部位１３ｂ３と剥離可能に貼り合わせるための第２仮着剤層３３ｉが形成され、外面側の面には貼付粘着剤層用離型処理層３２ｊが全面的に形成されている。貼付部位１３ｂ２において、表面側の面には物品に貼付するための貼付粘着剤層３３ａが形成され、展開部位１３ｂ１側の面には、固定粘着剤層３３ｃが形成されている。
【００３８】
従って、展開部位１３ｂ１は貼付部位１３ｂ２に剥離可能なように貼り合わせられている。また、展開側折り目部間部位１３ｂ３は展開部位１３ｂ１に剥離可能なように貼り合わせられている。さらに、展開側折り目部間部位１３ｂ３と外面側折り目部間部位１３ｂ４とは剥離可能なように仮着されている。すなわち、粘着テープ１３において、支持体２３の各部位１３ｂ２、１３ｂ１、１３ｂ３、１３ｂ４の対面する部位同士の面は、剥離可能なように貼り合わせられている。そのため、つまみ部形成端部１３ａ１に形成されているつまみ部３３ｋを引っ張ることにより、貼付部位１３ｂ２におけるつまみ部非形成端部１３ａ２から第１折り目部１３ａ３の方向に長尺状に展開させることができる。例えば、貼付部位１３ｂ２の貼付粘着剤層３３ａを利用して、折り畳まれた状態の粘着テープ１３を物品に貼付させた状態で（このとき、貼付部位１３ｂ２が物品に貼付により固定されている）、つまみ部３３ｋを、第２折り目部１３ａ４側の方向（すなわち、図４では上の方向）に引っ張り、必要に応じて、さらに第１折り目部１３ａ３又は第３折り目部１３ａ５側の方向（すなわち、図４では右の方向）に引っ張ることにより、貼付部位１３ｂ２と展開部位１３ｂ１との界面、展開部位１３ｂ１と展開側折り目部間部位１３ｂ３との界面、および展開側折り目部間部位１３ｂ３と外面側折り目部間部位１３ｂ４との界面で剥離が生じて、貼付部位１３ｂ２のみが物品に強く固定された状態で、容易に長尺状に展開させることができる。なお、長尺状に展開させる方向としては、つまみ部非形成端部１３ａ２から第１折り目部１３ａ３の方向（図４では右の方向）であり、貼付部位１３ｂ２、又は貼付部位１３ｂ２の第１折り目部１３ａ３側の端部を起点にしている。
【００３９】
このように、本発明の粘着テープ又はシート（折り畳み型粘着テープ又はシート）としては、長尺状に展開させることが可能な形態で折り畳まれており、且つ、折り畳まれた状態で物品に貼付した際に、少なくとも、主として表面側に位置している部位が、不織布製基材を支持体として形成されていることが重要である。従って、本発明の折り畳み型粘着テープ又はシートとしては、一方の端部につまみ部が形成され、且つつまみ部が形成されていない端部側の部位が折り畳まれた際の表面側に位置するような形態で、折り畳まれた構成を有しているとともに、下記の（ａ）〜（ｃ）の構成を有しており、且つつまみ部を引っ張ることにより長尺状に展開させることが可能な粘着テープ又はシートであり、少なくとも、折り畳まれた際に主として他方の表面側に位置している部位が、不織布製基材を支持体として形成されている粘着テープ又はシートであることが重要である。
（ａ）つまみ部が形成されていない端部側の部位の表面に、物品に貼付するための粘着剤層を有する構成
（ｂ）つまみ部が形成された端部側の部位の何れかの表面において、つまみ部が形成される形態で、物品に貼付するための粘着剤層を有し、且つつまみ部が形成された端部側の部位と、該つまみ部が形成された端部側の部位における粘着剤層が形成された面に対して対向している面を有する部位とが、離型処理層により剥離可能に貼り合わせられた構成
（ｃ）その他の対向している面を有する部位どうしが、粘着剤層と離型処理層との組み合わせ、又は仮着剤層どうしの組み合わせにより、剥離可能に貼り合わせられた構成
【００４０】
より具体的には、本発明の折り畳み型粘着テープ又はシートとしては、（１）一方の端部につまみ部が形成され、且つつまみ部が形成された端部側の部位およびつまみ部が形成されていない端部側の部位が、折り畳まれた際のそれぞれの表面側に位置するような形態で、且つつまみ部が形成された端部とつまみ部が形成されていない端部とが異なる方向に向いた状態となって、蛇腹状、アコーディオン状又はつづら折り状に２回以上折り曲げることにより折り畳まれた構成を有している折り畳み型粘着テープ又はシート（「Ｚ字型折り畳み型粘着テープ又はシート」と称する場合がある）、（２）一方の端部につまみ部が形成され、且つつまみ部が形成された端部側の部位およびつまみ部が形成されていない端部側の部位が、折り畳まれた際のそれぞれの表面側に位置するような形態で、且つつまみ部が形成された端部とつまみ部が形成されていない端部とが同一方向に向いた状態となって、蛇腹状、アコーディオン状又はつづら折り状に３回以上折り曲げることにより折り畳まれた構成を有している折り畳み型粘着テープ又はシート（「Ｗ字型折り畳み型粘着テープ又はシート」と称する場合がある）、（３）一方の端部につまみ部が形成され、且つつまみ部が形成された端部側の部位およびつまみ部が形成されていない端部側の部位が、折り畳まれた際のそれぞれの表面側に位置するような形態で、且つつまみ部が形成された端部とつまみ部が形成されていない端部とが異なる方向に向いた状態となって、蛇腹状、アコーディオン状又はつづら折り状に２回以上折り曲げることにより折り畳まれた構成を有しているとともに、つまみ部が形成されていない端部側から２つ目の折り目部が、つまみ部が形成されていない端部よりも突出した状態で折り畳まれた構成を有している折り畳み型粘着テープ又はシート（「Ｓ字型折り畳み型粘着テープ又はシート」と称する場合がある）、（４）一方の端部につまみ部が形成され、且つつまみ部が形成された端部側の部位と、つまみ部が形成されていない端部側の部位とが対向しているとともに、つまみ部が形成された端部側の部位と、折り畳まれた際の何れかの折り目部間の部位とが対向し、さらに、つまみ部が形成されていない端部側の部位が折り畳まれた際の表面側に位置するとともに、折り畳まれた際の何れかの折り目部間の部位が折り畳まれた際の表面側に位置するような形態で、２回以上折り曲げることにより折り畳まれた構成を有している折り畳み型粘着テープ又はシート（「４つ折り型折り畳み型粘着テープ又はシート」と称する場合がある）などが挙げられる。
【００４１】
なお、本発明では、このような折り畳み型粘着テープの構成は、適宜の順序で、適宜の形態となるように折り畳んだ結果、前述のような構成となっていればよい。
【００４２】
［Ｚ字型折り畳み型粘着テープ又はシート］
本発明の折り畳み型粘着テープ又はシートにおいて、Ｚ字型折り畳み型粘着テープ又はシートとしては、一方の端部につまみ部が形成され、且つつまみ部が形成された端部側の部位およびつまみ部が形成されていない端部側の部位が、折り畳まれた際のそれぞれの表面側に位置するような形態で、且つつまみ部が形成された端部とつまみ部が形成されていない端部とが同一又は異なる方向に向いた状態となって、蛇腹状に（蛇腹状、アコーディオン状又はつづら折り状に）２回以上折り曲げることにより折り畳まれた構成を有しているとともに、下記の（ａ１）〜（ｄ１）の構成を有しており、且つつまみ部を引っ張ることにより長尺状に展開させることが可能であり、さらに、少なくとも、折り畳まれた際に主として表面側に位置しているつまみ部が形成された端部側の部位が、不織布製基材を支持体として形成されている粘着テープ又はシートを好適に用いることができる。
（ａ１）つまみ部が形成されていない端部側の部位の表面に、物品に貼付するための粘着剤層を有する構成
（ｂ１）つまみ部が形成された端部側の部位におけるつまみ部が形成されていない端部側の面に、つまみ部が形成される形態で、物品に貼付するための粘着剤層を有し、且つつまみ部が形成された端部側の部位と、該つまみ部が形成された端部側の部位に対して対向している部位とが、離型処理層により剥離可能に貼り合わせられた構成
（ｃ１）つまみ部が形成されていない端部側の部位と、該つまみ部が形成されていない端部側の部位に対して対向している部位とが、仮着剤層により剥離可能に貼り合わせられた構成
（ｄ１）蛇腹状に４回以上折り曲げることにより折り畳まれた構成を有している場合、折り畳まれた際の対向している折り目部間の部位どうしが、仮着剤層により剥離可能に貼り合わせられた構成
【００４３】
なお、つまみ部が形成されていない端部側の部位と、該つまみ部が形成されていない端部側の部位に対して対向している部位とは、粘着剤層と離型処理層との組み合わせにより、剥離可能に貼り合わせられていてもよい。この場合、つまみ部が形成されていない端部側の部位に対して対向している部位におけるつまみ部が形成されていない端部側の部位側の面に粘着剤層（固定粘着剤層）を有し、且つつまみ部が形成されていない端部側の部位と、該つまみ部が形成されていない端部側の部位に対して対向している部位とが、離型処理層により、剥離可能に貼り合わせられた構成とすることができる。
【００４４】
前記Ｚ字型折り畳み型粘着テープ又はシートとしては、図１や図５（ａ）〜（ｃ）で示されているように、２つの端部（両端部）が異なる方向に向いた状態となって、Ｚ字状（Ｓ字状）に２回折り曲げることにより折り畳まれた構成を有していてもよく、また、図６で示されるように、２つの端部が異なる方向に向いた状態となって、蛇腹状、アコーディオン状（アコーディオンの伸縮部位の形状）又はつづら折り状に４回以上折り曲げることにより折り畳まれた構成を有していてもよい。なお、前述のように、「蛇腹状、アコーディオン状又はつづら折り状に２回以上折り曲げる」際の折り曲げる回数としては、特に制限されず、使用目的、折り畳んだ際の長さ、長尺状に展開した際の長さ、折り畳まれた際の厚み等に応じて適宜選択することができる。例えば、下記に示されるように、Ｚ字型折り畳み型粘着テープ又はシートを紙おむつの拘束用粘着テープ又はシートとして用いる場合は、「蛇腹状、アコーディオン状又はつづら折り状に２回以上折り曲げる」際の折り曲げる回数は、Ｚ字状（Ｓ字状）に２回であることが好ましいが、もちろん、４回以上（例えば、４回や６回等）であってもよい。
【００４５】
従って、Ｚ字型折り畳み型粘着テープ又はシートとしては、一方の端部につまみ部が形成され、且つつまみ部が形成された端部側の部位およびつまみ部が形成されていない端部側の部位が、折り畳まれた際のそれぞれの表面側に位置するような形態で、且つつまみ部が形成された端部とつまみ部が形成されていない端部とが異なる方向に向いた状態となって、Ｚ字状（Ｓ字状）に２回折り曲げることにより折り畳まれた構成を有しているとともに、下記の（ａ１ａ）〜（ｃ１ａ）の構成を有しており、且つつまみ部を引っ張ることにより長尺状に展開させることが可能であり、さらに、少なくとも、折り畳まれた際に主として表面側に位置しているつまみ部が形成された端部側の部位が、不織布製基材を支持体として形成されている粘着テープ又はシートが好適である。
（ａ１ａ）つまみ部が形成されていない端部側の部位の表面に、物品に貼付するための粘着剤層を有する構成
（ｂ１ａ）つまみ部が形成された端部側の部位におけるつまみ部が形成されていない端部側の面に、つまみ部が形成される形態で、物品に貼付するための粘着剤層を有し、且つつまみ部が形成された端部側の部位と、該つまみ部が形成された端部側の部位に対して対向しているＳ字状に２回折り曲げることにより折り畳まれた際の折り目部間の部位とが、離型処理層により剥離可能に貼り合わせられた構成
（ｃ１ａ）つまみ部が形成されていない端部側の部位と、該つまみ部が形成されていない端部側の部位に対して対向しているＳ字状に２回折り曲げることにより折り畳まれた際の折り目部間の部位とが、仮着剤層により剥離可能に貼り合わせられた構成
【００４６】
なお、つまみ部が形成されていない端部側の部位と、該つまみ部が形成されていない端部側の部位に対して対向しているＳ字状に２回折り曲げることにより折り畳まれた際の折り目部間の部位とは、前述のように、粘着剤層と離型処理層との組み合わせにより、剥離可能に貼り合わせられていてもよい。この場合、つまみ部が形成されていない端部側の部位に対して対向しているＳ字状に２回折り曲げることにより折り畳まれた際の折り目部間の部位におけるつまみ部が形成されていない端部側の部位側の面に粘着剤層（固定粘着剤層）を有し、且つつまみ部が形成されていない端部側の部位と、該つまみ部が形成されていない端部側の部位に対して対向しているＳ字状に２回折り曲げることにより折り畳まれた際の折り目部間の部位とが、離型処理層により、剥離可能に貼り合わせられた構成とすることができる。
【００４７】
なお、図５、図６は、それぞれ、本発明の粘着テープ又はシートの他の例を示す概略断面図である。図５において、（ａ）は、支持体が、１枚の不織布製基材のみにより構成された場合のＺ字型折り畳み型粘着テープ又はシートの例を示しており、（ｂ）は、支持体が、１枚の不織布製基材と、１枚のプラスチック製基材とにより構成された場合のＺ字型折り畳み型粘着テープ又はシートの例を示しており、（ｃ）は支持体が、１枚の不織布製基材と、２枚のプラスチック製基材とにより構成された場合のＺ字型折り畳み型粘着テープ又はシートの例を示している。また、図６は、蛇腹状に４回折り曲げることにより折り畳まれた構成のＺ字型折り畳み型粘着テープ又はシートの例を示している。図５において、４１はＺ字型折り畳み型粘着テープ又はシート、４１ａは不織布製基材、４１ｂは離型処理層（貼付粘着剤層離型処理層）、４１ｃは粘着剤層（展開粘着剤層）、４１ｄは離型処理層（展開粘着剤層離型処理層）、４１ｅは仮着剤層、４１ｆは仮着剤層、４１ｇは粘着剤層（貼付粘着剤層）である。また、４２はＺ字型折り畳み型粘着テープ又はシート、４２ａは不織布製基材、４２ｂはプラスチック製基材、４２ｃは離型処理層（貼付粘着剤層離型処理層）、４２ｄは粘着剤層（展開粘着剤層）、４２ｅは離型処理層（展開粘着剤層離型処理層）、４２ｆは仮着剤層、４２ｇは離型処理層（仮着剤層用離型処理層）、４２ｈは粘着剤層（貼付粘着剤層）である。さらに、４３はＺ字型折り畳み型粘着テープ又はシート、４３ａは不織布製基材、４３ｂはプラスチック製基材、４３ｃはプラスチック製基材、４３ｄは離型処理層（貼付粘着剤層離型処理層）、４３ｅは粘着剤層（展開粘着剤層）、４３ｆは離型処理層（展開粘着剤層離型処理層）、４３ｇは仮着剤層、４３ｈは離型処理層（仮着剤層用離型処理層）、４３ｉは粘着剤層（貼付粘着剤層）である。さらにまた、図６において、４４はＺ字型折り畳み型粘着テープ又はシート、４４ａは不織布製基材、４４ｂはプラスチック製基材、４４ｃは離型処理層（貼付粘着剤層離型処理層）、４４ｄは粘着剤層（展開粘着剤層）、４４ｅは離型処理層（展開粘着剤層離型処理層）、４４ｆは粘着剤層（一体化粘着剤層）、４４ｇは仮着剤層、４４ｈは仮着剤層、４４ｉは仮着剤層、４４ｊは仮着剤層、４４ｋは仮着剤層、４４ｍは仮着剤層、４４ｎは粘着剤層（貼付粘着剤層）である。
【００４８】
［Ｗ字型折り畳み型粘着テープ又はシート］
Ｗ字型折り畳み型粘着テープ又はシートとしては、一方の端部につまみ部が形成され、且つつまみ部が形成された端部側の部位およびつまみ部が形成されていない端部側の部位が、折り畳まれた際のそれぞれの表面側に位置するような形態で、且つつまみ部が形成された端部とつまみ部が形成されていない端部とが同一方向に向いた状態となって、蛇腹状に３回以上折り曲げることにより折り畳まれた構成を有しているとともに、下記の（ａ２）〜（ｄ２）の構成を有しており、且つつまみ部を引っ張ることにより長尺状に展開させることが可能であり、さらに、少なくとも、折り畳まれた際に主として表面側に位置しているつまみ部が形成された端部側の部位が、不織布製基材を支持体として形成されている粘着テープ又はシートを好適に用いることができる。
（ａ２）つまみ部が形成されていない端部側の部位の表面に、物品に貼付するための粘着剤層を有する構成
（ｂ２）つまみ部が形成された端部側の部位におけるつまみ部が形成されていない端部側の面に、つまみ部が形成される形態で、物品に貼付するための粘着剤層を有し、且つつまみ部が形成された端部側の部位と、該つまみ部が形成された端部側の部位に対して対向している部位とが、離型処理層により剥離可能に貼り合わせられた構成
（ｃ２）つまみ部が形成されていない端部側の部位に対して対向している部位におけるつまみ部が形成されていない端部側の部位側の面に粘着剤層を有し、且つつまみ部が形成されていない端部側の部位と、該つまみ部が形成されていない端部側の部位に対して対向している部位とが、離型処理層により、少なくとも部分的に剥離可能に貼り合わせられた構成
（ｄ２）折り畳まれた際の対向している折り目部間の部位どうしが、仮着剤層により剥離可能に貼り合わせられた構成
【００４９】
前記Ｗ字型折り畳み型粘着テープ又はシートとしては、図２や図７で示されているように、２つの端部（両端部）が同一方向に向いた状態となって、Ｗ字状に３回折り曲げることにより折り畳まれた構成を有していてもよく、また、図８で示されるように、２つの端部が同一方向に向いた状態となって、蛇腹状、アコーディオン状（アコーディオンの伸縮部位の形状）又はつづら折り状に５回以上折り曲げることにより折り畳まれた構成を有していてもよい。なお、前述のように、「蛇腹状、アコーディオン状又はつづら折り状に３回以上折り曲げる」際の折り曲げる回数としては、特に制限されず、使用目的、折り畳んだ際の長さ、長尺状に展開した際の長さ、折り畳まれた際の厚み等に応じて適宜選択することができる。例えば、下記に示されるように、Ｗ字型折り畳み型粘着テープ又はシートを紙おむつの拘束用粘着テープ又はシートとして用いる場合は、「蛇腹状、アコーディオン状又はつづら折り状に３回以上折り曲げる」際の折り曲げる回数は、Ｗ字状に３回であることが好ましいが、もちろん、５回以上（例えば、５回や７回等）であってもよい。
【００５０】
従って、Ｗ字型折り畳み型粘着テープ又はシートとしては、一方の端部につまみ部が形成され、且つつまみ部が形成された端部側の部位およびつまみ部が形成されていない端部側の部位が、折り畳まれた際のそれぞれの表面側に位置するような形態で、且つつまみ部が形成された端部とつまみ部が形成されていない端部とが同一方向に向いた状態となって、Ｗ字状に３回折り曲げることにより折り畳まれた構成を有しているとともに、下記の（ａ２ａ）〜（ｄ２ａ）の構成を有しており、且つつまみ部を引っ張ることにより長尺状に展開させることが可能であり、さらに、少なくとも、折り畳まれた際に主として表面側に位置しているつまみ部が形成された端部側の部位が、不織布製基材を支持体として形成されている粘着テープ又はシートが好適である。
（ａ２ａ）つまみ部が形成されていない端部側の部位の表面に、物品に貼付するための粘着剤層を有する構成
（ｂ２ａ）つまみ部が形成された端部側の部位におけるつまみ部が形成されていない端部側の面に、つまみ部が形成される形態で、物品に貼付するための粘着剤層を有し、且つつまみ部が形成された端部側の部位と、該つまみ部が形成された端部側の部位に対して対向しているＷ字状に３回折り曲げることにより折り畳まれた際の折り目部間の部位とが、離型処理層により剥離可能に貼り合わせられた構成
（ｃ２ａ）つまみ部が形成されていない端部側の部位に対して対向しているＷ字状に３回折り曲げることにより折り畳まれた際の折り目部間の部位におけるつまみ部が形成されていない端部側の部位側の面に粘着剤層を有し、且つつまみ部が形成されていない端部側の部位と、該つまみ部が形成されていない端部側の部位に対して対向しているＷ字状に３回折り曲げることにより折り畳まれた際の折り目部間の部位とが、離型処理層により、少なくとも部分的に剥離可能に貼り合わせられた構成
（ｄ２ａ）Ｗ字状に３回折り曲げることにより折り畳まれた際の対向している折り目部間の部位どうしが、仮着剤層により剥離可能に仮着された構成
【００５１】
なお、図７、図８は、それぞれ、本発明の粘着テープ又はシートの他の例を示す概略断面図である。図７において、（ａ）は、支持体が、１枚の不織布製基材のみにより構成された場合のＷ字型折り畳み型粘着テープ又はシートの例を示しており、（ｂ）は、支持体が、１枚の不織布製基材と、１枚のプラスチック製基材とにより構成された場合のＷ字型折り畳み型粘着テープ又はシートの例を示している。また、図８は、蛇腹状に５回折り曲げることにより折り畳まれた構成のＷ字型折り畳み型粘着テープ又はシートの例を示している。図７において、５１はＷ字型折り畳み型粘着テープ又はシート、５１ａは不織布製基材、５１ｂは離型処理層（貼付粘着剤層離型処理層）、５１ｃは粘着剤層（展開粘着剤層）、５１ｄは離型処理層（展開粘着剤層離型処理層）、５１ｅは仮着剤層、５１ｆは仮着剤層、５１ｇは粘着剤層（固定粘着剤層）、５１ｈは離型処理層（固定粘着剤層用離型処理層）、５１ｉは粘着剤層（貼付粘着剤層）である。また、５２はＷ字型折り畳み型粘着テープ又はシート、５２ａは不織布製基材、５２ｂはプラスチック製基材、５２ｃは離型処理層（貼付粘着剤層離型処理層）、５２ｄは粘着剤層（展開粘着剤層）、５２ｅは離型処理層（展開粘着剤層離型処理層）、５２ｆは仮着剤層、５２ｇは離型処理層（仮着剤層用離型処理層）、５２ｈは粘着剤層（固定粘着剤層）、５２ｉは離型処理層（固定粘着剤層用離型処理層）、５２ｊは粘着剤層（貼付粘着剤層）である。さらに、図８において、５３はＷ字型折り畳み型粘着テープ又はシート、５３ａは不織布製基材、５３ｂはプラスチック製基材、５３ｃは離型処理層（貼付粘着剤層離型処理層）、５３ｄは粘着剤層（展開粘着剤層）、５３ｅは離型処理層（展開粘着剤層離型処理層）、５３ｆは粘着剤層（一体化粘着剤層）、５３ｇは仮着剤層、５３ｈは仮着剤層、５３ｉは仮着剤層、５３ｊは仮着剤層、５３ｋは仮着剤層、５３ｍは仮着剤層、５３ｎは粘着剤層（固定粘着剤層）、５３ｐは離型処理層（固定粘着剤層用離型処理層）、５３ｑは粘着剤層（貼付粘着剤層）である。
【００５２】
本発明では、Ｗ字型折り畳み型粘着テープ又はシートとしては、つまみ部が形成されていない端部側の部位と、該つまみ部が形成されていない端部側の部位に対して対向している部位とが、部分的に剥離可能に貼り合わせられた構成を有していることが好ましい。このように、Ｗ字型折り畳み型粘着テープ又はシートにおいて、つまみ部が形成されていない端部側の部位と、つまみ部が形成されていない端部側の部位に対して対向している部位とが、部分的に剥離可能に貼り合わせられた構成を有していると、Ｗ字型折り畳み型粘着テープ又はシートを物品に貼付した後に、つまみ部を強く引っ張って長尺状に展開させても、Ｗ字型折り畳み型粘着テープ又はシートを、貼付している物品との剥離を生じさせることなく、容易に長尺状に展開させることができる。これは、つまみ部が形成されていない端部側の部位と、該つまみ部が形成されていない端部側の部位に対して対向している部位とが部分的に剥離可能な形態で貼り合わされているため（すなわち、部分的に剥離ができないように貼り合わされているため）、前記つまみ部を引っ張る力は、つまみ部が形成されていない端部側の部位と、該つまみ部が形成されていない端部側の部位に対して対向している部位との間の剥離不可能な部位において、せん断力として作用し、つまみ部が形成されていない端部側の部位の物品に対する剥離力としての作用が低下されているためであると思われる。
【００５３】
従って、Ｗ字型折り畳み型粘着テープ又はシートとしては、一方の端部につまみ部が形成され、且つつまみ部が形成された端部側の部位およびつまみ部が形成されていない端部側の部位が、折り畳まれた際のそれぞれの表面側に位置するような形態で、且つつまみ部が形成された端部とつまみ部が形成されていない端部とが同一方向に向いた状態となって、蛇腹状に３回以上（特に、Ｗ字状に３回）折り曲げることにより折り畳まれた構成を有しているとともに、下記の（ａ２ｂ）〜（ｄ２ｂ）の構成を有しており、且つつまみ部を引っ張ることにより長尺状に展開させることが可能であり、さらに、少なくとも、折り畳まれた際に主として表面側に位置しているつまみ部が形成された端部側の部位が、不織布製基材を支持体として形成されている粘着テープ又はシートが好ましい。
（ａ２ｂ）つまみ部が形成されていない端部側の部位の表面に、物品に貼付するための粘着剤層を有する構成
（ｂ２ｂ）つまみ部が形成された端部側の部位におけるつまみ部が形成されていない端部側の面に、つまみ部が形成される形態で、物品に貼付するための粘着剤層を有し、且つつまみ部が形成された端部側の部位と、該つまみ部が形成された端部側の部位に対して対向している部位（Ｗ字状に３回折り曲げることにより折り畳まれた構成の場合は、つまみ部が形成された端部側の部位に対して対向しているＷ字状に３回折り曲げることにより折り畳まれた際の折り目部間の部位）とが、離型処理層により剥離可能に貼り合わせられた構成
（ｃ２ｂ）つまみ部が形成されていない端部側の部位に対して対向している部位（Ｗ字状に３回折り曲げることにより折り畳まれた構成の場合は、つまみ部が形成された端部側の部位に対して対向しているＷ字状に３回折り曲げることにより折り畳まれた際の折り目部間の部位）におけるつまみ部が形成されていない端部側の部位側の面に粘着剤層を有しているとともに、つまみ部が形成されていない端部側の部位におけるつまみ部が形成された端部側の部位側の面に、端部側のみに部分的に離型処理層を有し、且つつまみ部が形成されていない端部側の部位と、該つまみ部が形成されていない端部側の部位に対して対向している部位（Ｗ字状に３回折り曲げることにより折り畳まれた構成の場合は、つまみ部が形成された端部側の部位に対して対向しているＷ字状に３回折り曲げることにより折り畳まれた際の折り目部間の部位）とが、離型処理層により部分的に剥離可能に貼り合わせられた構成
（ｄ２ｂ）折り畳まれた際の対向している折り目部間の部位どうし（Ｗ字状に３回折り曲げることにより折り畳まれた構成の場合は、Ｗ字状に３回折り曲げることにより折り畳まれた際の対向している折り目部間の部位どうし）が、仮着剤層により剥離可能に貼り合わせられた構成
【００５４】
なお、Ｗ字型折り畳み型粘着テープ又はシートが、つまみ部が形成されていない端部側の部位（貼付部位）と、該貼付部位（つまみ部が形成されていない端部側の部位）に対して対向している部位とが、部分的に剥離可能に貼り合わせられた構成を有している場合、貼付部位と、該貼付部位に対して対向している部位との間における剥離可能な部位の長さ（又は幅）としては、つまみ部が形成されていない端部から折り目部に向かって、貼付部位全長に対して１０〜９０％（好ましくは５０〜９０％、さらに好ましくは７０〜９０％）の範囲であることが望ましい。すなわち、貼付部位におけるつまみ部が形成された端部側の部位（展開部位）側の面に、つまみ部が形成されていない端部から折り目部に向かって、貼付部位全長に対して１０〜９０％（好ましくは５０〜９０％、さらに好ましくは７０〜９０％）の範囲で離型処理層（固定粘着剤層用離型処理層）が形成されていることが望ましい。なお、固定粘着剤層用離型処理層の長さが貼付部位全長に対して１０％以下の長さであると、使用時にＷ字型折り畳み型粘着テープ又はシートを展開する（各部を剥離して開く）際に、貼付部位と、該貼付部位と対向している部位との間の折り目の部分が切れ易くなる傾向があり、貼付部位全長に対して９０％以上の長さであると、貼付部位が被着体から剥がれたり、被着体を破壊する場合がある。
【００５５】
［Ｓ字型折り畳み型粘着テープ又はシート］
Ｓ字型折り畳み型粘着テープ又はシートとしては、一方の端部につまみ部が形成され、且つつまみ部が形成された端部側の部位およびつまみ部が形成されていない端部側の部位が、折り畳まれた際のそれぞれの表面側に位置するような形態で、且つつまみ部が形成された端部とつまみ部が形成されていない端部とが異なる方向に向いた状態となって、蛇腹状に（蛇腹状、アコーディオン状又はつづら折り状に）２回以上折り曲げることにより折り畳まれた構成を有しているとともに、つまみ部が形成されていない端部側から２つ目の折り目部が、つまみ部が形成されていない端部よりも突出した状態で折り畳まれた構成を有しており、また、且つ下記の（ａ３）〜（ｄ３）の構成を有しており、且つつまみ部を引っ張ることにより長尺状に展開させることが可能であり、さらに、少なくとも、折り畳まれた際に主として表面側に位置しているつまみ部が形成された端部側の部位が、不織布製基材を支持体として形成されている粘着テープ又はシートを好適に用いることができる。
（ａ３）つまみ部が形成されていない端部側の部位の表面に、物品に貼付するための粘着剤層を有する構成
（ｂ３）つまみ部が形成された端部側の部位におけるつまみ部が形成されていない端部側の面に、つまみ部が形成される形態で、物品に貼付するための粘着剤層を有し、且つつまみ部が形成された端部側の部位と、該つまみ部が形成された端部側の部位に対して対向している部位とが、離型処理層により剥離可能に貼り合わせられた構成
（ｃ３）つまみ部が形成されていない端部側から１つ目の折り目部と、２つ目の折り目部との間の部位におけるつまみ部が形成されていない端部側の部位側の面において、つまみ部が形成されていない端部側の部位と重ね合わせられていない露出した表面に、少なくとも部分的に、長尺状に展開させるまで物品に貼付するための仮止め層を有する構成
（ｄ３）蛇腹状に４回以上折り曲げることにより折り畳まれた構成を有している場合、折り畳まれた際の対向している折り目部間の部位どうしが、剥離可能に貼り合わせられた構成
【００５６】
前記Ｓ字型折り畳み型粘着テープ又はシートとしては、図３や図９で示されているように、２つの端部（両端部）が異なる方向に向いた状態となって、Ｚ字状（Ｓ字状）に且つつまみ部が形成されていない端部側から２つ目の折り目部が、つまみ部が形成されていない端部よりも突出した状態で２回折り曲げることにより折り畳まれた構成を有していてもよく、また、図１０で示されるように、２つの端部が異なる方向に向いた状態となって、蛇腹状、アコーディオン状（アコーディオンの伸縮部位の形状）又はつづら折り状に且つつまみ部が形成されていない端部側から２つ目の折り目部が、つまみ部が形成されていない端部よりも突出した状態で４回以上折り曲げることにより折り畳まれた構成を有していてもよい。なお、前述のように、「蛇腹状、アコーディオン状又はつづら折り状に２回以上折り曲げる」際の折り曲げる回数としては、特に制限されず、使用目的、折り畳んだ際の長さ、長尺状に展開した際の長さ、折り畳まれた際の厚み等に応じて適宜選択することができる。例えば、下記に示されるように、Ｓ字型折り畳み型粘着テープ又はシートを紙おむつの拘束用粘着テープ又はシートとして用いる場合は、「蛇腹状、アコーディオン状又はつづら折り状に２回以上折り曲げる」際の折り曲げる回数は、Ｚ字状（Ｓ字状）に２回であることが好ましいが、もちろん、４回以上（例えば、４回や６回等）であってもよい。
【００５７】
従って、Ｓ字型折り畳み型粘着テープ又はシートとしては、一方の端部につまみ部が形成され、且つつまみ部が形成された端部側の部位およびつまみ部が形成されていない端部側の部位が、折り畳まれた際のそれぞれの表面側に位置するような形態で、且つつまみ部が形成された端部とつまみ部が形成されていない端部とが異なる方向に向いた状態となって、Ｚ字状（Ｓ字状）に２回折り曲げることにより折り畳まれた構成を有しているとともに、つまみ部が形成されていない端部側から２つ目の折り目部が、つまみ部が形成されていない端部よりも突出した状態で折り畳まれた構成を有しており、また、下記の（ａ３ａ）〜（ｃ３ａ）の構成を有しており、且つつまみ部を引っ張ることにより長尺状に展開させることが可能であり、さらに、少なくとも、折り畳まれた際に主として表面側に位置しているつまみ部が形成された端部側の部位が、不織布製基材を支持体として形成されている粘着テープ又はシートが好適である。
（ａ３ａ）つまみ部が形成されていない端部側の部位の表面に、物品に貼付するための粘着剤層を有する構成
（ｂ３ａ）つまみ部が形成された端部側の部位におけるつまみ部が形成されていない端部側の面に、つまみ部が形成される形態で、物品に貼付するための粘着剤層を有し、且つつまみ部が形成された端部側の部位と、該つまみ部が形成された端部側の部位に対して対向しているＳ字状に２回折り曲げることにより折り畳まれた際の折り目部間の部位とが、離型処理層により剥離可能に貼り合わせられた構成
（ｃ３ａ）Ｓ字状に２回折り曲げることにより折り畳まれた際の折り目部間の部位におけるつまみ部が形成されていない端部側の部位側の面において、つまみ部が形成されていない端部側の部位と重ね合わせられていない露出した表面に、少なくとも部分的に、長尺状に展開させるまで物品に貼付するための仮止め層を有する構成
【００５８】
なお、図９、図１０は、それぞれ、本発明の粘着テープ又はシートの他の例を示す概略断面図である。図９において、（ａ）は、支持体が、１枚の不織布製基材のみにより構成された場合のＳ字型折り畳み型粘着テープ又はシートの例を示しており、（ｂ）は、支持体が、１枚の不織布製基材と、１枚のプラスチック製基材とにより構成された場合のＳ字型折り畳み型粘着テープ又はシートの例を示している。また、図１０は、蛇腹状に４回折り曲げることにより折り畳まれた構成のＳ字型折り畳み型粘着テープ又はシートの例を示している。図９において、６１はＳ字型折り畳み型粘着テープ又はシート、６１ａは不織布製基材、６１ｂは離型処理層（貼付粘着剤層離型処理層）、６１ｃは粘着剤層（展開粘着剤層）、６１ｄは離型処理層（展開粘着剤層離型処理層）、６１ｅは仮着剤層、６１ｆは離型処理層（仮着剤層用離型処理層）、６１ｇは粘着剤層（貼付粘着剤層）である。また、６２はＳ字型折り畳み型粘着テープ又はシート、６２ａは不織布製基材、６２ｂはプラスチック製基材、６２ｃは離型処理層（貼付粘着剤層離型処理層）、６２ｄは粘着剤層（展開粘着剤層）、６２ｅは離型処理層（展開粘着剤層離型処理層）、６２ｆは仮着剤層、６２ｇは離型処理層（仮着剤層用離型処理層）、６２ｈは粘着剤層（貼付粘着剤層）である。さらに、図１０において、６３はＳ字型折り畳み型粘着テープ又はシート、６３ａは不織布製基材、６３ｂはプラスチック製基材、６３ｃは離型処理層（貼付粘着剤層離型処理層）、６３ｄは粘着剤層（展開粘着剤層）、６３ｅは離型処理層（展開粘着剤層離型処理層）、６３ｆは仮着剤層、６３ｇは離型処理層（仮着剤層用離型処理層）、６３ｈは粘着剤層（固定粘着剤層）、６３ｉは離型処理層（固定粘着剤層用離型処理層）、６３ｊは仮着剤層、６３ｋは離型処理層（仮着剤層用離型処理層）、６３ｍは粘着剤層（貼付粘着剤層）である。
【００５９】
このようなＳ字型折り畳み型粘着テープ又はシートにおいて、つまみ部が形成されていない端部側の部位（貼付部位；図３では、貼付部位１２ｂ２）の長さＸとしては、つまみ部が形成されていない端部側から１つ目の折り目部と、２つ目の折り目部との間の部位（「貼付側中間部位」と称する場合がある；図３では、折り目部間部位１２ｂ３）の長さＹよりも短ければ特に制限されず、例えば、貼付側中間部位の長さＹに対して５〜９５％の範囲から選択することができるが、貼付部位の長さＸとしては、短すぎると、Ｓ字型折り畳み型粘着テープ又はシートの物品に対する粘着性が低下し、長すぎると、Ｓ字型折り畳み型粘着テープ又はシートの全体長さの短縮性が低下する。従って、貼付部位の長さＸとしては、貼付側中間部位の長さＹに対して１０〜７０％であることが好ましく、さらに好ましくは１０〜５０％であり、特に１０〜３０％であることが好適である。
【００６０】
なお、本発明では、貼付部位の長さＸとしては、貼付側中間部位の長さＹに対する割合による相対的な大きさ以外にも、絶対的な大きさによっても規定することができる。貼付部位は、物品に貼付により固定するために設けられているので、物品に貼付により固定する（特に、強固に固定する）ことができる長さを有していることが重要なためである。貼付部位の長さＸとしては、例えば、３ｍｍ以上（好ましくは５ｍｍ以上、さらに好ましくは８ｍｍ以上）であることが重要である。なお、貼付部位の長さＸの上限としては特に制限されず、長すぎると、前述のように、Ｓ字型折り畳み型粘着テープ又はシートの全体長さの短縮性が低下するので、貼付する物品の種類や貼付粘着剤層による粘着性などに応じて、例えば、２０ｍｍ以下（好ましくは１５ｍｍ以下、さらに好ましくは１２ｍｍ以下）の範囲から選択することができる。従って、貼付部位の長さＸとしては、例えば、貼付側中間部位の長さＹよりも短く、且つ３ｍｍ以上（例えば、３〜２０ｍｍ）である範囲から選択することができる。
【００６１】
また、Ｓ字型折り畳み型粘着テープ又はシートにおいて、つまみ部が形成された端部側の部位（展開部位；図３では、展開部位１２ｂ１）の長さＺとしては、つまみ部が形成されていない端部側から１つ目の折り目部と、２つ目の折り目部との間の部位（貼付側中間部位）の長さＹに対して、長くてもよいが、短いことが好ましく、特に、Ｓ字型折り畳み型粘着テープ又はシートの折り畳まれた状態での全厚みを薄くする観点から、貼付側中間部位の長さＹから、つまみ部が形成されていない端部側の部位（貼付部位）の長さＸを引いた長さ（Ｙ−Ｘ）と同じか又はそれよりも短くなっていることが好ましい。すなわち、展開部位の長さＺとしては、貼付側中間部位の長さＹと、つまみ部が形成されていない端部側の部位（貼付部位）の長さＸとの差（Ｙ−Ｘ）に対して１００％未満の大きさとなっていることが好ましい。このように、展開部位の長さＺが、貼付側中間部位の長さＹと、貼付部位の長さＸとの差（Ｙ−Ｘ）に対して１００％未満であると、Ｓ字型折り畳み型粘着テープ又はシートは、折り畳まれた状態では、貼付部位上に貼付側中間部位を介して展開部位が積層されなくなるので、折り畳まれた状態での全厚みを、従来よりも１層分薄くすることができる。また、展開部位の長さＺが、貼付側中間部位の長さＹと、貼付部位の長さＸとの差（Ｙ−Ｘ）に対して１００％を超えていると、折り畳まれた状態での全厚みが一定にならず、貼付部位上に貼付側中間部位を介して展開部位が積層された箇所で厚みが厚く、その他の場所で厚みが薄くなって、段差が生じてしまうので、展開部位の長さＺを、貼付側中間部位の長さＹと、貼付部位の長さＸとの差（Ｙ−Ｘ）に対して１００％未満にすると、このような段差を無くすという効果も発揮される。
【００６２】
なお、Ｓ字型折り畳み型粘着テープ又はシートの展開した際に伸びて展開する展開長さを一定とした場合、展開部位の長さＺの長さが短すぎると、貼付側中間部位の長さが長くなってしまい、折り畳んだ際の長さが長くなってしまう。また、展開部位の長さＺが、貼付側中間部位の長さＹと、貼付部位の長さＸとの差（Ｙ−Ｘ）に対して短すぎると、折り畳まれた状態での厚みが一定にならず、段差が生じてしまう。そのため、Ｓ字型折り畳み型粘着テープ又はシートの折り畳まれた状態での全厚みと全長とを適度にする観点等から、展開部位の長さＺとしては、貼付側中間部位の長さＹと、貼付部位の長さＸとの差（Ｙ−Ｘ）に対して９０〜１００％（好ましくは９５〜１００％）であることが望ましく、特に９９〜１００％（ほぼ１００％）であることが好適である。
【００６３】
また、展開部位と貼付部位との間の部位（「中間部位」と称する場合がある）のうち、つまみ部が形成されていない端部（つまみ部非形成端部）側から１つ目の折り目部と、２つ目の折り目部との間の中間部位（貼付側中間部位）における貼付部位側の面には、長尺状に展開させるまで物品に貼付する（仮止めする）ための仮止め層が、貼付部位と重ね合わされていない露出した表面に、少なくとも部分的に、形成されている。仮止め層は、貼付側中間部位における貼付部位側の面において、折り畳まれた状態で露出している表面に、全面的に形成されていてもよいが、第２折り目部側の端部側の部分には形成されていないことが好ましい。すなわち、つまみ部非形成端部側から１つ目の折り目部（第１折り目部）と、２つ目の折り目部（第２折り目部）との間の部位におけるつまみ部非形成端部側の部位（貼付部位）側の面において、第２折り目部側の端部側の部分には、仮止め層が形成されていないことが望ましい。なお、仮止め層が形成されていない部分が多すぎると、Ｓ字型折り畳み型粘着テープ又はシートの物品への固定性が低下し、剥がれ易くなる。そのため、仮止め層が形成されていない第２折り目部側の端部側の部分としては、第２折り目部側の端部から５ｍｍ以内の部分（さらに好ましくは３ｍｍ以内の部分）であることが望ましい。このように、仮止め層が第２折り目部側の端部側の部分に形成されていない形態を有していると、つまみ部を引っ張って展開させた際に、第２折り目部側の端部が浮き上がり、これにより、引っ張った際の力は、貼付側中間部位と物品との界面に効果的にかかるようになり、貼付部位を物品に固定させた状態で、容易に展開させることができるようになる。
【００６４】
さらに、貼付部位と貼付側中間部位とは、剥離不可能なように貼り合わせられていてもよいが、直接接触して重ね合わせられているだけの構成や、粘着剤層や仮止め層等と離型処理層とを利用して、剥離可能に貼り合わせられた構成を有していることが好ましい。前述のように、貼付部位と、貼付側中間部位とを、貼付せず、直接接触させて重ね合わせた構成とする場合、貼付部位の長さＸとしては、貼付側中間部位の長さＹに対して、３０％以下（例えば、１０〜３０％）であることが好ましい。貼付部位の長さＸが、貼付側中間部位の長さＹに対して、３０％以下（例えば、１０〜３０％）であると、貼付部位と貼付側中間部位とが重ね合わせられている長さが、短くなっているので、貼付部位と貼付側中間部位とを貼付せずに、単に重ね合わせていても、折り畳んだ際に浮きが生じず、接触して重ね合わせられている状態を効果的に保持させることができる。
【００６５】
このように、貼付部位と、貼付側中間部位とを、貼付せず、直接接触させて重ね合わせただけの構成とする場合、仮止め層における第１折り目部側の端部の位置としては、折り畳んだ際の貼付部位の端部（つまみ部非形成端部）の位置又はそれより手前側（すなわち、第２折り目部側）の位置となっていれば特に制限されない。仮止め層における第１折り目部側の端部の位置と、つまみ部非形成端部の位置との間の幅としては、広すぎると、Ｓ字型折り畳み型粘着テープ又はシートの物品への固定性が低下し、剥がれ易くなるため、０〜５ｍｍ（好ましくは０〜３ｍｍ）の範囲であることが望ましい。
【００６６】
一方、貼付部位と貼付側中間部位とを剥離可能に貼り合わせる場合は、貼付部位の貼付側中間部位側の面に、離型処理層を形成し、貼付側中間部位の貼付部位と重ね合わせられる表面に粘着剤層や仮止め層（特に、仮止め層）を形成して、剥離可能な形態で貼り合わせることにより、貼付部位と貼付側中間部位とを重ね合わせていることが好ましい。
【００６７】
このように、Ｓ字型折り畳み型粘着テープ又はシートは、展開させた際に伸びて展開する展開長さが、従来の折り畳んだ形態の粘着テープ又はシートの展開させた際の展開長さと同じ又はほぼ同じ長さであっても、全体長さ（全長）が効果的に短縮されている。しかも、展開時には、容易に展開することができる。さらには、折り畳まれた際の厚みが薄くなっており、折り畳んだ状態での粘着テープ又はシートの柔軟性も良好である。
【００６８】
［４つ折り型折り畳み型粘着テープ又はシート］
４つ折り型折り畳み型粘着テープ又はシートとしては、一方の端部につまみ部が形成され、且つつまみ部が形成された端部側の部位と、つまみ部が形成されていない端部側の部位とが対向しているとともに、つまみ部が形成された端部側の部位と、折り畳まれた際の何れかの折り目部間の部位とが対向し、さらに、つまみ部が形成されていない端部側の部位が折り畳まれた際の表面側に位置するとともに、折り畳まれた際の何れかの折り目部間の部位が折り畳まれた際の表面側に位置するような形態で、２回以上折り曲げることにより折り畳まれた構成を有しているとともに、下記の（ａ４）〜（ｄ４）の構成を有しており、且つつまみ部を引っ張ることにより長尺状に展開させることが可能であり、さらに、少なくとも、折り畳まれた際に主として表面側に位置している折り目部間の部位が、不織布製基材を支持体として形成されている粘着テープ又はシートを好適に用いることができる。
（ａ４）つまみ部が形成されていない端部側の部位の表面に、物品に貼付するための粘着剤層を有する構成
（ｂ４）つまみ部が形成された端部側の部位における折り畳まれた際の折り目部間側の面に、つまみ部が形成される形態で、物品に貼付するための粘着剤層を有し、且つつまみ部が形成された端部側の部位と、該つまみ部が形成された端部側の部位に対して対向している折り畳まれた際の折り目部間の部位とが、離型処理層により剥離可能に貼り合わせられた構成
（ｃ４）つまみ部が形成されていない端部側の部位におけるつまみ部が形成された端部側の部位側の面に、粘着剤層を有し、且つつまみ部が形成されていない端部側の部位と、つまみ部が形成された端部側の部位とが、離型処理層により剥離可能に貼り合わせられた構成
（ｄ４）折り畳まれた際の対向している折り目部間の部位どうしが、仮着剤層により剥離可能に貼り合わせられた構成
【００６９】
前記４つ折り型折り畳み型粘着テープ又はシートとしては、図４で示されるように、つまみ部が形成された端部がつまみ部が形成されていない端部より突出した状態となるように折り畳まれ、且つ前記折り畳まれた際の折り目部がつまみ部が形成された端部側の面に、該つまみ部が形成された端部よりも手前側に位置する状態となるように、４つ折り状に折り畳まれた構成（４つ折り状に、計２回折り曲げることにより折り畳まれた構成）を有していてもよく、また、つまみ部が形成された端部がつまみ部が形成されていない端部より突出した状態となるように折り畳まれ、且つこの折り畳みよりもさらに折り畳まれた際の折り目部が、つまみ部が形成された端部側の面に、該つまみ部が形成された端部よりも手前側に位置する状態となるように、さらに、２回以上（計３回以上）折り曲げることにより折り畳まれた構成［例えば、蛇腹状、アコーディオン状（アコーディオンの伸縮部位の形状）又はつづら折り状に２回以上折り曲げることにより折り畳まれた構成、または巻回状に２回以上折り曲げることにより折り畳まれた構成］を有していてもよい。なお、前述のように、つまみ部が形成された端部がつまみ部が形成されていない端部より突出した状態となるように折り畳んだ後に、「さらに、１回又は２回以上折り曲げる」際の折り曲げる回数としては、特に制限されず、使用目的、折り畳んだ際の長さ、長尺状に展開した際の長さ、折り畳まれた際の厚み等に応じて適宜選択することができる。例えば、下記に示されるように、４つ折り型折り畳み型粘着テープ又はシートを紙おむつの拘束用粘着テープ又はシートとして用いる場合は、「さらに、１回又は２回以上折り曲げる」際の折り曲げる回数は、１回であることが好ましいが、もちろん、２回以上（例えば、２回や３回）であってもよい。
【００７０】
従って、４つ折り型折り畳み型粘着テープ又はシートとしては、一方の端部につまみ部が形成され、且つつまみ部が形成された端部側の部位と、つまみ部が形成されていない端部側の部位とが対向しているとともに、つまみ部が形成された端部側の部位と、折り畳まれた際の何れかの折り目部間の部位とが対向し、さらに、つまみ部が形成されていない端部側の部位が折り畳まれた際の表面側に位置するとともに、折り畳まれた際の何れかの折り目部間の部位が折り畳まれた際の表面側に位置するような形態で、４つ折り状に２回折り曲げることにより折り畳まれた構成を有しているとともに、下記の（ａ４ａ）〜（ｄ４ａ）の構成を有しており、且つつまみ部を引っ張ることにより長尺状に展開させることが可能であり、さらに、少なくとも、折り畳まれた際に主として表面側に位置している折り目部間の部位が、不織布製基材を支持体として形成されている粘着テープ又はシートが好適である。
（ａ４ａ）つまみ部が形成されていない端部側の部位の表面に、物品に貼付するための粘着剤層を有する構成
（ｂ４ａ）つまみ部が形成された端部側の部位における４つ折り状に２回折り曲げることにより折り畳まれた際の折り目部間側の面に、つまみ部が形成される形態で、物品に貼付するための粘着剤層を有し、且つつまみ部が形成された端部側の部位と、該つまみ部が形成された端部側の部位に対して対向している４つ折り状に２回折り曲げることにより折り畳まれた際の折り目部間の部位とが、離型処理層により剥離可能に貼り合わせられた構成
（ｃ４ａ）つまみ部が形成されていない端部側の部位におけるつまみ部が形成された端部側の部位側の面に、粘着剤層を有し、且つつまみ部が形成されていない端部側の部位と、つまみ部が形成された端部側の部位とが、離型処理層により剥離可能に貼り合わせられた構成
（ｄ４ａ）４つ折り状に２回折り曲げることにより折り畳まれた際の対向している折り目部間の部位どうしが、仮着剤層により剥離可能に貼り合わせられた構成
【００７１】
本発明の折り畳み型粘着テープ又はシートでは、少なくとも、折り畳まれた際に、主として、つまみ部が形成されていない端部側の部位の表面に対して反対側の表面側に位置している部位（すなわち、折り畳まれた状態で物品に貼付した際に、主として表面側に位置している部位；「貼付時表面側部位」と称する場合がある）で、不織布製基材が支持体（基材）として用いられていることが重要である。従って、貼付時表面側部位以外の部位では、支持体として不織布製基材が用いられていてもよく、または、支持体として不織布製基材が用いられておらず、不織布製基材以外の基材（「非不織布製基材」と称する場合がある）が用いられていてもよい。
【００７２】
なお、不織布製基材が用いられている貼付時表面側部位は、折り畳まれた状態で物品に貼付した際に、主として表面側に位置している部位であり、具体的には、例えば、端部と該端部から１つ目の折り目部と間の部位［つまみ部が形成された端部と、該端部から１つ目の折り目部との間の部位（つまみ部が形成された端部側の部位）など］や、折り目部間の部位などが挙げられる。
【００７３】
このように、本発明では、少なくとも、折り畳まれた状態で物品に貼付した際に、主として表面側に位置している部位である貼付時表面側部位が、不織布製基材を支持体として形成されていればよく、折り畳まれた状態で物品に貼付した際に、主として表面側に位置しておらず内部側に位置しているが、貼付時表面側部位よりも突出しているために、部分的に表面側に位置している部分を有する部位（「貼付時部分的表面側部位」と称する場合がある）は、不織布製基材を支持体として形成されていることが必ずしも必要ではない。貼付時部分的表面側部位としては、例えば、図４における展開部位１３ｂ１などが挙げられる。図４で示される粘着テープ１３では、展開部位１３ｂ１は、折り畳まれた状態で物品に貼付した際に、主として表面側に位置しておらず内部側に位置しているが、貼付時表面側部位である外面側折り目部間部位１３ｂ４よりも、つまみ部３３ｋが突出しているために、部分的に表面側に位置している部分としてのつまみ部３３ｋを有している。
【００７４】
本発明では、折り畳み型粘着テープ又はシートは、折り畳まれた状態でロール状に巻回した状態で作製することができる。このように、折り畳み型粘着テープ又はシートを、折り畳まれた状態でロール状に巻回する場合は、折り畳まれた際に、つまみ部が形成されていない端部側の部位の表面に対して反対側の表面側で露出している面に、全面的に離型処理層が形成されていることが好ましい。このように、折り畳み型粘着テープ又はシートが、折り畳まれた状態で、一方の表面側に貼付粘着剤層が形成され、他方の表面側に離型処理層が形成されていると、剥離ライナーを用いなくても、折り畳まれた状態でロール状に巻回させることができる。なお、このような折り畳まれた状態でロール状に巻回された折り畳み型粘着テープ又はシートは、使用時には、巻き戻して、適宜な幅に切断して使用することができる。
【００７５】
もちろん、折り畳み型粘着テープ又はシートは、つまみ部が形成されていない端部側の部位の表面に対して反対側の表面側で露出している面に離型処理層が形成されていなくてもよく、その場合は、剥離ライナーを利用して、折り畳まれた状態でロール状に巻回させることができる。
【００７６】
（支持体）
本発明の折り畳み型粘着テープ又はシートでは、少なくとも、貼付時表面側部位で、支持体（基材）として不織布製基材が用いられている。不織布製基材としては、少なくとも不織布が用いられている基材であれば特に制限されず、不織布のみから形成された基材であってもよく、不織布と不織布以外の基材（「非不織布基材」と称する場合がある）との積層により形成された基材であってもよい。
【００７７】
不織布としては、１枚の不織布のみの不織布単層構造を有している不織布の単層体、複数の不織布が積層された不織布多層構造を有している不織布の多層体のいずれであってもよい。不織布としては、複数の不織布が積層された不織布多層構造を有している方が、強度が強く、また、ほどけにくいので、不織布の多層体を好適に用いることができる。
【００７８】
また、不織布としては、スパンボンド系不織布、メルトブロー系不織布などいずれの形態の不織布であってもよい。
【００７９】
不織布を構成する繊維としては、不織布を形成することが可能な繊維であれば特に制限されず、合成繊維、半合成繊維、天然繊維のいずれであってもよい。不織布を構成する繊維は単独で又は２種以上組み合わせて用いられていてもよい。具体的には、不織布を構成する繊維としては、例えば、ポリオレフィン系繊維（ポリエチレン系繊維、ポリプロピレン系繊維など）、ポリエステル系繊維、ポリアミド系繊維、アクリル系繊維、ポリアクリロニトリル系繊維、ポリビニルアルコール繊維（いわゆるビニロン繊維）、炭素繊維（炭素系繊維）、ポリイミド系繊維、シリコーン系繊維、フッ素系繊維、レーヨン繊維、綿繊維などが挙げられる。不織布を構成する繊維としては、ポリオレフィン系繊維、ポリアミド系繊維、ポリエステル系繊維が好適であり、特に、ポリオレフィン系繊維（なかでも、ポリエチレン系繊維、ポリプロピレン系繊維）を好適に用いることができる。
【００８０】
なお、不織布を構成する繊維には、予め、表面に離型処理が施されていてもよい。
【００８１】
不織布と非不織布基材との積層により形成された基材において、非不織布基材としては、特に制限されず、例えば、プラスチック製基材、金属製基材（例えば、アルミニウム箔、鉄箔、ステンレス箔、ニッケル箔、銅箔等の各種金属箔など）、不織布を除く繊維製基材（例えば、織り布、編み布など）、紙製基材（例えば、和紙、上質紙、クラフト紙、グラシン紙、合成紙、トップコート紙など）などの薄葉体（不織布を除く）が挙げられる。前記プラスチック製基材としては、特に制限されず、例えば、ポリエチレン（ＰＥ）製基材、ポリプロピレン（ＰＰ）製基材、エチレン−プロピレン共重合体製基材等のポリオレフィン系樹脂製基材；ポリエチレンテレフタレート（ＰＥＴ）製基材、ポリブチレンテレフタレート（ＰＢＴ）製基材等のポリエステル系樹脂製基材；ポリビニルアルコール製基材；ポリメチルメタクリレート（ＰＭＭＡ）製基材等のメタクリレート系樹脂製基材；アクリル系樹脂製基材；ポリスチレン製基材、アクリロニトリル−スチレン共重合体（ＡＳ樹脂）製基材、アクリロニトリル−ブタジエン−スチレン共重合体（ＡＢＳ樹脂）製基材等のスチレン系樹脂製基材；ポリイミド（ＰＩ）製基材；ポリアミド系樹脂製基材；ポリカーボネート製基材；ウレタン系樹脂製基材：エポキシ系樹脂製基材；フッ素系樹脂製基材などの各種プラスチック製基材が挙げられる。
【００８２】
非不織布基材としては、プラスチック製基材が好適であり、プラスチック製基材のなかでも、一般的に使用され、コスト、入手し易い観点からは、ポリオレフィン系樹脂製基材（特に、ポリエチレン製基材、ポリプロピレン製基材）が好適である。
【００８３】
従って、不織布と非不織布基材との積層により形成された基材としては、不織布とプラスチック製基材との積層体を好適に用いることができ、なかでも、不織布とポリオレフィン系樹脂製基材（特に、ポリエチレン製基材、ポリプロピレン製基材）との積層体を好適に用いることができる。
【００８４】
なお、不織布とプラスチック製基材との積層体において、プラスチック製基材は、不織布の一方の面に、積層することができる。不織布の一方の面にプラスチック製基材を積層する際には、公知の積層方法を適宜選択して利用することができ、例えば、ラミネートによる積層方法（例えば、溶融ラミネート方法、押出ラミネート方法など）を好適に利用することができる。従って、不織布とプラスチック製基材との積層体としては、不織布の一方の面に、プラスチック製基材としてプラスチック材料によるラミネート層が形成された積層体（不織布ラミネート体）を好適に用いることができる。もちろん、ラミネート層を形成するためのプラスチック材料は、プラスチック製基材を形成するためのプラスチック材料と同一である。従って、不織布製基材において、不織布の一方の面に形成されたラミネート層としては、ポリオレフィン系樹脂（特に、ポリエチレン、ポリプロピレン）により形成されていることが好ましい。
【００８５】
また、本発明の折り畳み型粘着テープ又はシートにおいて、支持体として、不織布製基材以外の基材（非不織布製基材）が用いられている場合、非不織布製基材としては、前記非不織布基材と同様に、例えば、プラスチック製基材、金属製基材（例えば、アルミニウム箔、鉄箔、ステンレス箔、ニッケル箔、銅箔等の各種金属箔など）、不織布を除く繊維製基材（例えば、織り布、編み布など）、紙製基材（例えば、和紙、上質紙、クラフト紙、グラシン紙、合成紙、トップコート紙など）などの薄葉体（不織布を除く）が挙げられる。前記プラスチック製基材としては、特に制限されず、例えば、ポリエチレン（ＰＥ）製基材、ポリプロピレン（ＰＰ）製基材、エチレン−プロピレン共重合体製基材等のポリオレフィン系樹脂製基材；ポリエチレンテレフタレート（ＰＥＴ）製基材、ポリブチレンテレフタレート（ＰＢＴ）製基材等のポリエステル系樹脂製基材；ポリビニルアルコール製基材；ポリメチルメタクリレート（ＰＭＭＡ）製基材等のメタクリレート系樹脂製基材；アクリル系樹脂製基材；ポリスチレン製基材、アクリロニトリル−スチレン共重合体（ＡＳ樹脂）製基材、アクリロニトリル−ブタジエン−スチレン共重合体（ＡＢＳ樹脂）製基材等のスチレン系樹脂製基材；ポリイミド（ＰＩ）製基材；ポリアミド系樹脂製基材；ポリカーボネート製基材；ウレタン系樹脂製基材：エポキシ系樹脂製基材；フッ素系樹脂製基材などの各種プラスチック製基材が挙げられる。
【００８６】
非不織布製基材としては、プラスチック製基材が好適であり、プラスチック製基材のなかでも、一般的に使用され、コスト、入手し易い観点からは、ポリオレフィン系樹脂製基材（特に、ポリエチレン製基材、ポリプロピレン製基材）が好適である。
【００８７】
このような非不織布製基材は、前述のように、貼付時表面側部位（折り畳まれた状態で物品に貼付した際に表面側に位置している部位）以外の部位で用いることができる。
【００８８】
本発明では、折り畳み型粘着テープ又はシートを形成している支持体は、不織布製基材のみから構成されていてもよく、不織布製基材と、非不織布製基材とにより構成されていてもよい。支持体が、不織布製基材のみから構成されている場合、一方の端部から他方の端部まで連続的に形成された１枚の長尺状の構成を有している不織布製基材（「連続長尺状不織布製基材」と称する場合がある）であってもよく、複数の不織布製基材の端部側の面どうしが重ね合わせられて、各種接着手段により積層された長尺状の構成を有している不織布製基材（「積層長尺状不織布製基材」と称する場合がある）であってもよい。
【００８９】
一方、支持体が、不織布製基材と非不織布製基材とにより構成されている場合、不織布製基材の端部と、非不織布製基材の端部とが重ね合わせられて、各種接着手段等により積層された構成を有している。不織布製基材と非不織布製基材とにより構成された支持体において、不織布製基材としては、連続長尺状不織布製基材、積層長尺状不織布製基材のいずれであっても用いることができる。また、非不織布製基材としては、一方の端部から他方の端部まで連続的に形成された１枚の長尺状の構成を有している非不織布製基材、複数の非不織布製基材の端部側の面どうしが重ね合わせられて、各種接着手段により積層された長尺状の構成を有している非不織布製基材のいずれであっても用いることができる。
【００９０】
支持体としては、貼付時表面側部位（折り畳まれた際に主として他方の表面側に位置している部位）では、不織布製基材が用いられており、その他の部位では、プラスチック製基材が用いられていることが好ましい。すなわち、折り畳み型粘着テープ又はシートとしえは、貼付時表面側部位が、不織布製基材を支持体として形成され、その他の部位が、プラスチック製基材を支持体として形成されていることが好ましい。このように、貼付時表面側部位以外の部位が、プラスチック製基材を支持体として形成されていると、折り畳み型粘着テープ又はシートは、貼付時表面側部位の展開前、展開時、展開後にわたって好適な強度および柔軟性を有することができる。
【００９１】
なお、支持体（特に、プラスチック製基材）の表面には、粘着剤層等との密着力の向上等を目的に、コロナ処理やプラズマ処理等の物理的処理、下塗り剤等の化学的処理などの適宜な表面処理が施されていてもよい。
【００９２】
支持体の全体の厚みとしては、特に制限されないが、通常、５〜１０００μｍ（好ましくは１０〜５００μｍ）である。
【００９３】
不織布製基材の厚みとしては、例えば、５０〜５００μｍ（好ましくは１００〜３００μｍ）である。なお、不織布製基材が、不織布と非不織布基材との積層により形成された基材である場合、不織布と、非不織布基材との厚みの比としては、特に制限されず、例えば、不織布製基材の全体としての厚みが、前記範囲となっていればよい。具体的には、例えば、不織布製基材が、不織布の一方の面に、プラスチック材料によるラミネート層が形成された積層体である場合、不織布製基材におけるラミネート層の厚みとしては、例えば、５〜５０μｍ（好ましくは１０〜２０μｍ）の範囲から選択することができる。
【００９４】
非不織布製基材の厚みとしては、例えば、３０〜３００μｍ（好ましくは５０〜１００μｍ）である。
【００９５】
（貼付粘着剤層）
本発明の折り畳み型粘着テープ又はシートでは、つまみ部が形成されていない端部（つまみ部非形成端部）側の部位の表面に、粘着剤層（貼付粘着剤層）が形成されている。該貼付粘着剤層は、物品に貼付するために設けられており、特に、折り畳まれた状態で（未展開の状態で）物品に貼付するための粘着剤層として設けられている。具体的には、貼付粘着剤層を利用して、折り畳み型粘着テープ又はシートを物品に貼付することにより、貼付部位を物品に貼付して固定させることができる。なお、貼付粘着剤層は、使用時までの間、剥離ライナーにより保護されていてもよく、または、折り畳み型粘着テープ又はシートの貼付時表面側部位側の表面に形成された離型処理層により保護されていてもよい。
【００９６】
貼付粘着剤層を形成するための粘着剤（「貼付粘着剤」と称する場合がある）としては、特に制限されず、例えば、ホットメルト型粘着剤、エマルジョン系粘着剤、溶剤系粘着剤、オリゴマー系粘着剤、固系粘着剤などのいずれの形態の粘着剤であってもよい。貼付粘着剤は、単独で又は２種以上組み合わせて使用することができる。貼付粘着剤としては、ホットメルト型粘着剤を好適に用いることができる。
【００９７】
ホットメルト型粘着剤は、エラストマー（熱可塑性エラストマー等）や熱可塑性樹脂などをベースポリマーとしている。なお、ベースポリマーは単独で又は２種以上を組み合わせて使用できる。ホットメルト型粘着剤におけるベースポリマーの熱可塑性エラストマーとしては、例えば、スチレン−イソプレン−スチレンブロック共重合体（ＳＩＳ）、スチレン−ブタジエン−スチレンブロック共重合体（ＳＢＳ）、スチレン−エチレン−ブチレン−スチレンブロック共重合体（ＳＥＢＳ）、スチレン−エチレン−プロピレン−スチレンブロック共重合体（ＳＥＰＳ）、スチレン−エチレン−プロピレンブロック共重合体（ＳＥＰ）などのスチレン系熱可塑性エラストマー（スチレン系ブロックコポリマー；例えばスチレン含有量５重量％以上のスチレン系ブロックコポリマー）；ポリウレタン系熱可塑性エラストマー；ポリエステル系熱可塑性エラストマー；ポリプロピレンとＥＰＴ（三元系エチレン−プロピレンゴム）とのポリマーブレンドなどのブレンド系熱可塑性エラストマーなどが挙げられる。
【００９８】
また、ホットメルト型粘着剤におけるベースポリマーの熱可塑性樹脂としては、例えば、ポリオレフィン系樹脂、酢酸ビニル系樹脂、ポリエステル系樹脂、スチレン系樹脂、アクリル系樹脂、ポリアミド系樹脂などが挙げられる。なお、ポリオレフィン系樹脂としては、例えば、エチレン系共重合体［例えば、エチレン−酢酸ビニル共重合体（ＥＶＡ）；エチレン−アクリル酸共重合体（ＥＡＡ）、エチレン−メタクリル酸共重合体（ＥＭＡＡ）などのエチレン−不飽和カルボン酸共重合体；アイオノマー；エチレン−アクリル酸メチル共重合体、エチレン−アクリル酸エチル共重合体（ＥＥＡ）、エチレン−アクリル酸２−エチルヘキシル共重合体、エチレン−メタクリル酸メチル共重合体、エチレン−メタクリル酸エチル共重合体などのエチレン−（メタ）アクリル酸エステル共重合体；エチレン−ビニルアルコール共重合体など］の他、ポリエチレン（低密度ポリエチレン、線状低密度ポリエチレン、メタロセン触媒法ポリエチレン、中密度ポリエチレン、高密度ポリエチレンなど）、ポリプロピレン、α−オレフィン共重合体（エチレン−プロピレン共重合体、エチレン−ブテン−１共重合体、プロピレン−ブテン−１共重合体など）などのポリオレフィン；ポリプロピレン変性樹脂などが挙げられる。また、酢酸ビニル系樹脂としては、例えば、ポリ酢酸ビニル、酢酸ビニル−（メタ）アクリル酸エステル共重合体、酢酸ビニル−ビニルエステル共重合体、酢酸ビニル−マレイン酸エステル共重合体などが挙げられる。
【００９９】
ホットメルト型粘着剤としては、ベースポリマーが熱可塑性エラストマー（特に、スチレン系熱可塑性エラストマー）であるホットメルト型粘着剤が好適である。
【０１００】
また、エマルジョン系粘着剤や溶剤系粘着剤等の粘着剤としては、アクリル系粘着剤、ゴム系粘着剤、ポリエステル系粘着剤、ウレタン系粘着剤、ポリアミド系粘着剤、エポキシ系粘着剤、ビニルアルキルエーテル系粘着剤、シリコーン系粘着剤、フッ素系粘着剤などの粘着剤であって、それぞれの形態（例えば、エマルジョンの形態、溶液の形態など）の粘着剤が挙げられる。
【０１０１】
なお、貼付粘着剤は、粘着性成分（ベースポリマー）等のポリマー成分の他に、粘着剤の種類等に応じて、架橋剤（例えば、ポリイソシアネート系架橋剤、アルキルエーテル化メラミン化合物系架橋剤など）、粘着付与剤（例えば、ロジン誘導体樹脂、ポリテルペン樹脂、石油樹脂、フェノール樹脂など）、可塑剤、充填剤、老化防止剤などの適宜な添加剤を含んでいてもよい。
【０１０２】
貼付粘着剤としては、いわゆる「強粘着剤」を好適に用いることができる。具体的には、貼付粘着剤による貼付粘着剤層の粘着力としては、ＪＩＳ  Ｚ  ０２３７に規定された１８０°引き剥し試験（被着体：ステンレス板、引張速度：３００ｍｍ／分）において、２．０Ｎ／１０ｍｍ以上であることが望ましい。
【０１０３】
貼付粘着剤層の形成方法としては、公知乃至慣用の粘着剤層の形成方法を採用することができ、例えば、支持体の所定の面における所定の部位上に、貼付粘着剤を乾燥後の厚さが所定の厚さとなるように直接塗工して乾燥する方法（塗布方法）、セパレータ上に、乾燥後の厚さが所定の厚さとなるように貼付粘着剤を塗布して粘着剤層を形成した後、該粘着剤層を基材上に転写する方法（転写方法）などが挙げられる。
【０１０４】
貼付粘着剤層の厚みとしては、特に限定するものではないが、粘着特性等の点から、１０μｍ以上であることが望ましく、例えば、１０〜１０００μｍ（好ましくは２０〜５００μｍ）程度の範囲から選択することができる。
【０１０５】
（展開粘着剤層）
また、本発明の折り畳み型粘着テープ又はシートでは、つまみ部が形成された端部（つまみ部形成端部）側の部位の何れかの表面に、つまみ部が形成される形態で、粘着剤層（展開粘着剤層）が形成されている。展開粘着剤層は、基本的には、物品に貼付するために設けられており、特に、展開した状態で物品に貼付するための粘着剤層として設けられている。また、未展開の状態では、折り畳み型粘着テープ又はシートを、該折り畳まれた状態を保持させるための機能も発揮している。具体的には、展開粘着剤層を、展開部位に対向している部位の面に形成された離型処理層と貼り合わせることにより、展開部位と、該展開部位に対向している部位とについて、折り畳まれている状態を保持させることができる。もちろん、この貼り合わせでは粘着剤層と離型処理層とが用いられているので、展開部位と、該展開部位に対向している部位とは剥離可能となっている。また、折り畳まれた状態で貼付粘着剤層により物品に貼付された折り畳み型粘着テープ又はシートを、長尺状に展開し、該展開した状態の粘着テープ又はシートを、展開粘着剤層を利用して、物品に貼付することにより、長尺状の粘着テープ又はシートを物品に貼付することができる。このとき、両端に形成された粘着剤層（貼付粘着剤層、展開粘着剤層）を利用して、長尺状の粘着テープ又はシートを物品に貼付しているので、物品を拘束する（特に、物品を所定の形状にして拘束する）機能を発揮することができる。
【０１０６】
展開粘着剤層を形成するための粘着剤（「展開粘着剤」と称する場合がある）としては、特に制限されず、前記貼付粘着剤と同様の粘着剤を用いることができる。具体的には、展開粘着剤としては、例えば、ホットメルト型粘着剤、エマルジョン系粘着剤、溶剤系粘着剤、オリゴマー系粘着剤、固系粘着剤などのいずれの形態の粘着剤であってもよい。展開粘着剤は、単独で又は２種以上組み合わせて使用することができる。展開粘着剤としては、ホットメルト型粘着剤を好適に用いることができる。
【０１０７】
展開粘着剤におけるホットメルト型粘着剤としては、前記貼付粘着剤におけるホットメルト型粘着剤と同様に、エラストマー（熱可塑性エラストマー等）や熱可塑性樹脂などをベースポリマーとするホットメルト型粘着剤が挙げられる。なお、ホットメルト型粘着剤における熱可塑性エラストマーや熱可塑性樹脂としては、前記と同様の熱可塑性エラストマーや熱可塑性樹脂が挙げられる。ホットメルト型粘着剤としては、ベースポリマーが熱可塑性エラストマー（特に、スチレン系熱可塑性エラストマー）であるホットメルト型粘着剤が好適である。
【０１０８】
また、エマルジョン系粘着剤や溶剤系粘着剤等の粘着剤としては、前記貼付粘着剤の場合と同様の粘着剤が挙げられる。
【０１０９】
なお、展開粘着剤は、粘着性成分（ベースポリマー）等のポリマー成分の他に、粘着剤の種類等に応じて、架橋剤（例えば、ポリイソシアネート系架橋剤、アルキルエーテル化メラミン化合物系架橋剤など）、粘着付与剤（例えば、ロジン誘導体樹脂、ポリテルペン樹脂、石油樹脂、フェノール樹脂など）、可塑剤、充填剤、老化防止剤などの適宜な添加剤を含んでいてもよい。
【０１１０】
展開粘着剤としては、いわゆる「強粘着剤」を好適に用いることができる。具体的には、展開粘着剤による展開粘着剤層の粘着力としては、ＪＩＳ  Ｚ  ０２３７に規定された１８０°引き剥し試験（被着体：ステンレス板、引張速度：３００ｍｍ／分）において、２．０Ｎ／１０ｍｍ以上であることが望ましい。
【０１１１】
展開粘着剤層の形成方法としては、前記貼付粘着剤層と同様に、公知乃至慣用の粘着剤層の形成方法を採用することができ、例えば、支持体の所定の面における所定の部位上に、展開粘着剤を乾燥後の厚さが所定の厚さとなるように直接塗工して乾燥する方法（塗布方法）、セパレータ上に、乾燥後の厚さが所定の厚さとなるように展開粘着剤を塗布して粘着剤層を形成した後、該粘着剤層を基材上に転写する方法（転写方法）などが挙げられる。
【０１１２】
展開粘着剤層の厚みとしては、特に限定するものではないが、粘着特性等の点から、１０μｍ以上であることが望ましく、例えば、１０〜１０００μｍ（好ましくは２０〜５００μｍ）程度の範囲から選択することができる。
【０１１３】
本発明では、貼付粘着剤、展開粘着剤は、同一の粘着剤であってもよく、異なる粘着剤であってもよい。また、同種の粘着剤であってもよい。
【０１１４】
（仮着剤層）
また、本発明の折り畳み型粘着テープ又はシートでは、仮着剤層が用いられている場合がある。仮着剤層を利用すると、対向している面を有する部位どうしを剥離可能に貼り合わせて、折り畳まれている状態を保持させることができ、また、剥離後は、仮着剤層の接着性が著しく低下し、再接着させることが難しくなっているので、仮着剤層が形成されていた表面は、ベタベタしていない。従って、折り畳み型粘着テープ又はシートを長尺状に展開した際には、仮着剤層が表面に露出しても、仮着剤層の表面は非粘着面となっているので、指や物品の一部などが仮着剤層の表面に触れても接着し難くなっている。そのため、折り畳み時には、表面に露出していないが、長尺状に展開させた際には、露出する面には、仮着剤層を適用することが好ましい。例えば、Ｚ字型折り畳み型粘着テープ又はシートでは、つまみ部が形成されていない端部側の部位と、該つまみ部が形成されていない端部側の部位に対して対向している部位との対向している各面に仮着剤層を適用することができるとともに、蛇腹状に４回以上折り曲げることにより折り畳まれた構成を有している場合、折り畳まれた際の対向している折り目部間の部位どうしの各面に、仮着剤層を適用することができる。また、Ｗ字型折り畳み型粘着テープ又はシートでは、折り畳まれた際の対向している折り目部間の部位どうしの各面に、仮着剤層を適用することができる。さらに、Ｓ字型折り畳み型粘着テープ又はシートでは、Ｚ字型折り畳み型粘着テープ又はシートと同様に、蛇腹状に４回以上折り曲げることにより折り畳まれた構成を有している場合、折り畳まれた際の対向している折り目部間の部位どうしの各面に、仮着剤層を適用することができる。さらにまた４つ折り型折り畳み型粘着テープ又はシートでは、折り畳まれた際の対向している折り目部間の部位どうしの各面に、仮着剤層を適用することができる。
【０１１５】
このような仮着剤層を形成する仮着剤としては、特に制限されず、例えば、ポリオレフィン系仮着剤（例えば、ポリエチレン系仮着剤、ポリプロピレン系仮着剤、エチレン−プロピレン共重合体系仮着剤など）；スチレン系仮着剤（例えば、スチレン系熱可塑性エラストマーによる仮着剤等）などの公知の仮着剤を用いることができる。仮着剤は単独で又は２種以上組み合わせて使用することができる。なお、仮着剤層は、貼り合わせる部位どうしの各面に形成することができる。各仮着剤層は、同一の仮着剤により形成されていてもよく、異なる仮着剤により形成されていてもよい。
【０１１６】
仮着剤層を形成する仮着剤としては、ポリオレフィン系仮着剤（なかでも、ポリプロピレン系仮着剤）を好適に用いることができる。
【０１１７】
仮着剤層の形成方法としては、公知乃至慣用の仮着剤層の形成方法を採用することができる。例えば、支持体の所定の面における所定の部位上に、熱溶融された仮着剤を直接塗工して冷却する方法（ホットメルト塗工方法）や、乾燥後の厚さが所定の厚さがとなるように溶液型の仮着剤を塗工して乾燥する方法（溶液塗工方法）などが挙げられる。
【０１１８】
仮着剤層の厚みとしては特に限定するものではないが、各仮着剤層の厚みとして、例えば、２〜４０μｍ（好ましくは５〜１５μｍ）程度の範囲から選択することができる。
【０１１９】
（離型処理層）
本発明の折り畳み型粘着テープ又はシートでは、対向している面を有する部位どうしを剥離可能に貼り合わせる際に、対向している面のうち、一方の部位側の面に粘着剤層が形成されている場合、他方の部位側の面には離型処理層を形成することができる。例えば、折り畳まれた際に、つまみ部が形成された端部（つまみ部形成端部）側の部位の表面に形成された展開粘着剤層に対して対向している面に、離型処理層（展開粘着剤層用離型処理層）を形成することができる。
【０１２０】
なお、Ｚ字型折り畳み型粘着テープ又はシートでは、つまみ部非形成端部側の部位に対して対向している部位に粘着剤層（固定粘着剤層）が形成されている場合や、蛇腹状に４回以上折り曲げることにより折り畳まれた構成を有し且つ折り畳まれた際の対向している折り目部間の部位どうしの何れかの面に粘着剤層（固定粘着剤層）が形成されている場合、折り畳まれた際に固定粘着剤層に対して対向している面に、離型処理層（固定粘着剤層用離型処理層）を形成することができる。また、Ｗ字型折り畳み型粘着テープ又はシートでは、つまみ部非形成端部側の部位に対して対向している部位に粘着剤層（固定粘着剤層）が形成されている場合や、折り畳まれた際の対向している折り目部間の部位どうしの何れかの面に粘着剤層（固定粘着剤層）が形成されている場合、折り畳まれた際に固定粘着剤層に対して対向している面に、離型処理層（固定粘着剤層用離型処理層）を形成することができる。さらに、Ｓ字型折り畳み型粘着テープ又はシートでは、蛇腹状に４回以上折り曲げることにより折り畳まれた構成を有し且つ折り畳まれた際の対向している折り目部間の部位どうしの何れかの面に粘着剤層（固定粘着剤層）が形成されている場合、折り畳まれた際に固定粘着剤層に対して対向している面に、離型処理層（固定粘着剤層用離型処理層）を形成することができる。さらにまた、４つ折り型折り畳み型粘着テープ又はシートでは、つまみ部形成端部側の部位に形成された粘着剤層（固定粘着剤層）に対して対向している面に、離型処理層（固定粘着剤層用離型処理層）を形成することができるとともに、折り畳まれた際の対向している折り目部間の部位どうしの何れかの面に粘着剤層（固定粘着剤層）が形成されている場合、折り畳まれた際に固定粘着剤層に対して対向している面に、離型処理層（固定粘着剤層用離型処理層）を形成することができる。
【０１２１】
また、本発明の折り畳み型粘着テープ又はシートでは、特に、つまみ部非形成端部側の部位に形成された粘着剤層（貼付粘着剤層）を保護するために、貼付時表面側部位側の表面に離型処理層（貼付粘着剤層用離型処理層）を形成することも可能である。
【０１２２】
このような離型処理層のうち、展開粘着剤層用離型処理層や固定粘着剤層用離型処理層を形成する離型処理剤（剥離処理剤）としては、特に制限されず、例えば、長鎖アルキル基含有ポリマーによる熱硬化型離型処理剤、熱硬化型シリコーン系離型処理剤、熱硬化型フッ素系離型処理剤などの公知の熱硬化型離型処理剤を適宜選択して用いることができ、なかでも熱硬化型シリコーン系離型処理剤を好適に用いることができる。
【０１２３】
離型処理層の形成方法としては、公知乃至慣用の離型処理層（熱硬化型離型処理剤層）の形成方法を採用することができ、例えば、支持体の所定の面における所定の部位上に、熱硬化型離型処理剤を乾燥又は硬化後の厚さが所定の厚さとなるように直接塗工して乾燥する方法（塗布方法）などが挙げられる。なお、熱硬化型離型処理層（展開粘着剤層用離型処理層、固定粘着剤層用離型処理層など）の厚みとしては、特に制限されず、例えば、０．００１〜５μｍ程度の範囲から選択することができる。
【０１２４】
一方、貼付粘着剤層用離型処理層を形成する離型処理剤（剥離処理剤）としては、不織布製基材上に貼付粘着剤層用離型処理層を形成するため、不織布製基材による風合いを損なわずに、離型処理層としての機能を有効に発揮させることが可能な離型処理剤を用いることが重要である。そのため、貼付粘着剤層用離型処理層を形成する離型処理剤としては、前述のような熱硬化型離型処理剤を用いてもよいが、電離性放射線硬化型離型処理剤を用いることが好ましい。電離性放射線硬化型離型処理剤としては、電離性放射線（電子線や紫外線など）の照射により硬化（又は架橋）して離型処理層を形成することが可能なものであれば特に制限されず、公知の電離性放射線硬化型離型処理剤から適宜選択して用いることができる。本発明では、電離性放射線硬化型離型処理剤としては、電離性放射線硬化型シリコーン系離型処理剤を好適に用いることができる。
【０１２５】
前記電離性放射線硬化型シリコーン系離型処理剤としては、例えば、特開平９−２５４３３０号公報や特開平１０−１０２０１３号公報などで記載されている電離性放射線硬化型シリコーンなどを用いることができる。より具体的には、電離性放射線硬化型シリコーン系離型処理剤は、電離性放射線の照射により架橋反応を生じることが可能な官能基（「電離性放射線架橋型官能基」と称する場合がある）を有するシリコーン成分を含有しており、必要に応じて、反応効率を高めるために、光重合開始剤や触媒などを含んでいる。前記シリコーン成分における電離性放射線架橋型官能基としては、アクリロイル基、メタクリロイル基、エポキシ基、メルカプト基、ビニル基などが挙げられる。このような電離性放射線架橋型官能基は、シリコーン成分１分子中に、１個以上含まれていることが好ましい。なお、シリコーン成分としては、骨格又は主鎖が珪素原子（Ｓｉ）と炭素原子（Ｏ）とが結合したシロキサン結合（Ｓｉ−Ｏ結合）を有しているとともに、電離性放射線架橋型官能基を有するオルガノシロキサン系化合物であれば特に制限されないが、アルキル基、シクロアルキル基、アリール基、アラルキル基などの適宜な有機基が、骨格又は主鎖を構成している珪素原子に直接に又は他の基（例えば、アルキレン基等の２価の炭化水素基や、オキシ基などの２価の有機基）を介して結合しているとともに、電離性放射線架橋型官能基が骨格又は主鎖を構成している珪素原子に直接に又は他の基（アルキレン基等の２価の炭化水素基など）を介して結合している形態のオルガノシロキサン系化合物を好適に用いることができる。
【０１２６】
なお、電離性放射線硬化型シリコーン系離型処理剤で用いられている光重合開始剤や触媒において、光重合開始剤としては、特に制限されず、例えば、ベンゾフェノン系光重合開始剤（ベンゾフェノンなど）、アセトフェノン系光重合開始剤（アセトフェノンなど）、ベンゾインエーテル系光重合開始剤、α−ケトール系光重合開始剤、芳香族スルホニルクロリド系光重合開始剤、光活性オキシム系光重合開始剤、ベンゾイン系光重合開始剤、ベンジル系光重合開始剤、ケタール系光重合開始剤、チオキサントン系光重合開始剤などなどが挙げられる。また、触媒としては、特に制限されず、例えば、ジアゾニウム塩、スルホニウム塩、ヨードニウム塩等のオニウム塩系硬化触媒などが挙げられる。光重合開始剤や触媒は単独で又は２種以上組み合わせて使用することができる。
【０１２７】
本発明では、電離性放射線硬化型シリコーン系離型処理剤としては、有機溶剤により希釈されていない無溶剤型のものを好適に用いることができる。無溶剤型の電離性放射線硬化型シリコーン系離型処理剤を用いると、溶剤を除去するための加熱を伴う工程を除くことができるとともに、加熱による不織布製基材の繊維の融合等も防止することが可能となる。
【０１２８】
なお、電離性放射線硬化型シリコーン系離型処理剤としては、不織布製基材の内部に浸透させずに表面に離型処理層を効果的に形成させるために、ＪＩＳ  Ｋ  ２２８３に準じて測定された動粘度（測定温度：２５℃）が、５０〜７０ｍｍ2／ｓ（好ましくは１００〜４００ｍｍ2／ｓ）であることが望ましい。
【０１２９】
電離性放射線硬化型シリコーン系離型処理剤等の電離性放射線硬化型離型処理剤による離型処理層（貼付粘着剤層用離型処理層など）の形成方法としては、知乃至慣用の離型処理層（電離性放射線硬化型離型処理剤層）の形成方法を採用することができ、例えば、支持体の所定の面における所定の部位上に、電離性放射線硬化型離型処理剤を硬化後の厚さが所定の厚さとなるように直接塗工した後、電離性放射線を照射する方法などが挙げられる。
【０１３０】
なお、照射する電離性放射線としては、α線、β線、γ線、中性子線、電子線や、紫外線などを用いることができ、紫外線を好適に用いることができる。従って、電離性放射線硬化型離型処理剤としては、紫外線硬化型離型処理剤が好適である。
【０１３１】
このような電離性放射線硬化型離型処理剤は、不織布製基材上に形成される貼付粘着剤層用離型処理層の離型処理剤として好適に用いることができるが、他の離型処理層（展開粘着剤層用離型処理層や固定粘着剤層用離型処理層など）の離型処理剤としても用いることができる。
【０１３２】
電離性放射線硬化型離型処理剤による離型処理層（貼付粘着剤層用離型処理層など）の厚みとしては、特に制限されず、例えば、０．００１〜５μｍ程度の範囲から選択することができる。なお、不織布製基材上に塗布する際には、電離性放射線硬化型離型処理剤の塗布量は、例えば、０．０５ｇ／ｍ2以上（例えば、０．０５〜３ｇ／ｍ2）の範囲から選択することができ、好ましくは０．２〜２ｇ／ｍ2である。
【０１３３】
なお、不織布製基材における不織布として、予め離型処理が施された繊維により構成された不織布が用いられていると、貼付粘着剤層用離型処理層が形成されていなくてもよい。この場合、繊維に離型処理を施すための離型処理剤としては、前記熱硬化型離型処理剤や、電離性放射線硬化型離型処理剤などの公知の離型処理剤から適宜選択して用いることができる。
【０１３４】
（仮止め層）
本発明の折り畳み型粘着テープ又はシートにおいて、Ｓ字型折り畳み型粘着テープ又はシートでは、仮止め層が用いられている。仮止め層は、長尺状に展開させるまでの間、Ｓ字型折り畳み型粘着テープ又はシートを物品に貼付するために設けられている。具体的には、貼付粘着剤層とともに、仮止め層を利用して、Ｓ字型折り畳み型粘着テープ又はシートを物品に貼付することにより、貼付部位とともに、仮止め層が形成されている部位を物品に貼付して固定させることができる。一方、Ｓ字型折り畳み型粘着テープ又はシートを展開させる際には、貼付部位のみを物品に貼付により固定した状態で、仮止め層により物品に貼付されている部位を物品から容易に剥離させ、しかも物品（紙おむつなど）の表面に破損等のダメージを与えることなく展開させることができる。
【０１３５】
なお、仮止め層は、使用時までの間、貼付粘着剤層と同様に、剥離ライナーにより保護されていてもよいが、Ｓ字型折り畳み型粘着テープ又はシートの展開部位側の表面に形成された離型処理層と貼り合わせられていることが好ましい。このように、仮止め層と貼り合わせられる離型処理層としては、展開部位の表面に形成された離型処理層と、必要に応じて折り目部間部位における展開部位と重ね合わせられていない部分の表面に形成された離型処理層とにより構成することができる。従って、Ｓ字型折り畳み型粘着テープ又はシートにおいて、離型処理層は、折り目部間部位における展開部位側の面の全面と、展開部位の表面の全面に形成されていることが好ましい。
【０１３６】
仮止め層は、長尺状に展開させるまで物品に貼付することが可能な層であれば、その構成材料は特に制限されない。仮止め層は、仮止め剤により形成することができる。仮止め層を形成するための仮止め剤としては、ホットメルト型仮止め剤、エマルジョン系仮止め剤、溶剤系仮止め剤、オリゴマー系仮止め剤、固系仮止め剤などのいずれの形態の仮止め剤であってもよい。仮止め剤は、単独で又は２種以上組み合わせて使用することができる。仮止め剤としては、ホットメルト型仮止め剤を好適に用いることができる。
【０１３７】
ホットメルト型仮止め剤は、スチレン系ポリマーや、オレフィン系ポリマーをベースポリマーとしている。なお、ベースポリマーは単独で又は２種以上を組み合わせて使用できる。
【０１３８】
ホットメルト型仮止め剤におけるベースポリマーとしてのスチレン系ポリマーとしては、例えば、スチレン−イソプレン−スチレンブロック共重合体（ＳＩＳ）、スチレン−ブタジエン−スチレンブロック共重合体（ＳＢＳ）、スチレン−エチレン−ブチレン−スチレンブロック共重合体（ＳＥＢＳ）、スチレン−エチレン−プロピレン−スチレンブロック共重合体（ＳＥＰＳ）、スチレン−エチレン−プロピレンブロック共重合体（ＳＥＰ）等のスチレン系ブロックコポリマー（例えばスチレン含有量５重量％以上のスチレン系ブロックコポリマー）などが挙げられる。
【０１３９】
また、ホットメルト型仮止め剤におけるベースポリマーとしてのオレフィン系ポリマーとしては、例えば、エチレン−酢酸ビニル共重合体（ＥＶＡ）；エチレン−アクリル酸共重合体（ＥＡＡ）、エチレン−メタクリル酸共重合体（ＥＭＡＡ）などのエチレン−不飽和カルボン酸共重合体；アイオノマー；エチレン−アクリル酸メチル共重合体、エチレン−アクリル酸エチル共重合体（ＥＥＡ）、エチレン−アクリル酸２−エチルヘキシル共重合体、エチレン−メタクリル酸メチル共重合体、エチレン−メタクリル酸エチル共重合体などのエチレン−（メタ）アクリル酸エステル共重合体；エチレン−ビニルアルコール共重合体等のエチレン系共重合体；低密度ポリエチレン、線状低密度ポリエチレン、メタロセン触媒法ポリエチレン、中密度ポリエチレン、高密度ポリエチレン等のポリエチレン；ポリプロピレン；エチレン−プロピレン共重合体、エチレン−ブテン−１共重合体、プロピレン−ブテン−１共重合体等のα−オレフィン共重合体などの他、ポリプロピレン変性樹脂などが挙げられる。
【０１４０】
なお、エマルジョン系仮止め剤や溶剤系仮止め剤等の仮止め剤としては、前記スチレン系ポリマーやオレフィン系ポリマーをベースポリマーとする仮止め剤あって、それぞれの形態（例えば、エマルジョンの形態、溶液の形態など）の仮止め剤が挙げられる。
【０１４１】
仮止め剤は、粘着性成分（ベースポリマー）等のポリマー成分の他に、該ポリマーと少なくとも部分的に相溶性を有している樹脂（「混合樹脂」と称する場合がある）を含んでいることが好ましい。このような混合樹脂は、固体状の樹脂であることが重要である。具体的には、混合樹脂としては、例えば、テルペン系樹脂、炭化水素系樹脂、ロジン誘導体、フェノール系樹脂などが挙げられる。混合樹脂としては、テルペン系樹脂、炭化水素系樹脂が好ましく、特にテルペン系樹脂が好適である。なお、混合樹脂は単独で又は２種以上組み合わせて使用することができる。
【０１４２】
混合樹脂において、テルペン系樹脂としては、例えば、α−ピネン重合体、β−ピネン重合体、ジペンテン重合体などのテルペン系樹脂や、これらのテルペン系樹脂を変性（フェノール変性、芳香族変性、水素添加変性、炭化水素変性など）した変性テルペン系樹脂（例えば、テルペン−フェノール系樹脂、スチレン変性テルペン系樹脂、芳香族変性テルペン系樹脂、水素添加テルペン系樹脂など）などが挙げられる。また、炭化水素系樹脂としては、例えば、脂肪族系炭化水素樹脂［炭素数４〜５のオレフィンやジエン（ブテン−１、イソブチレン、ペンテン−１等のオレフィン；ブタジエン、１，３−ペンタジエン、イソプレン等のジエンなど）などの脂肪族炭化水素の重合体など］、脂肪族系環状炭化水素樹脂［いわゆる「Ｃ４石油留分」や「Ｃ５石油留分」を環化二量体化した後重合させた脂環式炭化水素系樹脂、環状ジエン化合物（シクロペンタジエン、ジシクロペンタジエン、エチリデンノルボルネン、ジペンテンなど）の重合体又はその水素添加物、下記の芳香族系炭化水素樹脂や脂肪族・芳香族系石油樹脂の芳香環を水素添加した脂環式炭化水素系樹脂など］、芳香族系炭化水素樹脂［炭素数が８〜１０であるビニル基含有芳香族系炭化水素（スチレン、ビニルトルエン、α−メチルスチレン、インデン、メチルインデンなど）の重合体など］、脂肪族・芳香族系石油樹脂（スチレン−オレフィン系共重合体など）、脂肪族・脂環族系石油樹脂、水素添加炭化水素樹脂、クマロン系樹脂、クマロンインデン系樹脂などの各種の炭化水素系の樹脂が挙げられる。
【０１４３】
混合樹脂の割合としては、例えば、ベースポリマー：１００重量部に対して１０〜１５０重量部（好ましくは２０〜１２０重量部、さらに好ましくは３０〜８０重量部）の範囲から選択することができる。
【０１４４】
また、仮止め剤には、軟化剤が含まれていることが好ましい。軟化剤としては、液状の軟化剤であることが重要である。軟化剤としては、テルペン系油、ナフテン系油、パラフィン系油など各種の軟化剤を用いることができるが、テルペン系油を好適に用いることができる。軟化剤は単独で又は２種以上組み合わせて使用することができる。
【０１４５】
軟化剤において、テルペン系油としては、例えば、商品名「ＹＳレジンＴＯ−Ｌ」（ヤスハラケミカル社製；芳香族変性テルペン炭化水素低重合物）などが挙げられる。
【０１４６】
軟化剤の割合としては、例えば、ベースポリマー：１００重量部に対して１０〜１００重量部（好ましくは２０〜８０重量部、さらに好ましくは３０〜６０重量部）の範囲から選択することができる。
【０１４７】
さらに、仮止め剤は、必要に応じて、例えば、酸化防止剤、老化防止剤、紫外線吸収剤、可塑剤、充填剤、架橋剤などの適宜な添加剤を含んでいてもよい。
【０１４８】
このような仮止め剤としては、ベースポリマーがスチレン系ポリマー等のゴム系ポリマーである場合、１６０℃における溶融粘度が、３０〜８００Ｐａ・ｓであることが好ましく、さらに好ましくは５０〜６００Ｐａ・ｓであり、特に８０〜５００Ｐａ・ｓであることが好ましい。また、ベースポリマーがオレフィン系ポリマーである場合、仮止め剤としては、１６０℃における溶融粘度が、０．１〜５．０Ｐａ・ｓであることが好ましく、さらに好ましくは０．３〜３．５Ｐａ・ｓであり、特に１．０〜３．０Ｐａ・ｓであることが好ましい。仮止め剤の溶融粘度（１６０℃）が低すぎると、仮止め層の接着力が強すぎて、Ｓ字型折り畳み型粘着テープ又はシートを仮止め層を利用して物品に貼付した際に、物品から容易に剥離させることができなくなる。一方、仮止め剤の溶融粘度（１６０℃）が高すぎると、仮止め層の接着力が低下して、Ｓ字型折り畳み型粘着テープ又はシートの物品への固定性が低下する。
【０１４９】
なお、仮止め剤の溶融粘度（１６０℃）は、ＪＩＳ  Ｋ  ６８６２に準じて測定することができる。具体的にはホットメルト接着剤溶融粘度試験法で測定することができる。
【０１５０】
仮止め剤としては、いわゆる「弱粘着剤」を好適に用いることができる。具体的には、仮止め剤による仮止め層の粘着力としては、前述のように、例えば、ポリプロピレン系不織布（商品名「シンテックス」三井化学社製）に対して、０．５Ｎ／１０ｍｍ以上［ＪＩＳ  Ｚ  ０２３７に規定された１８０°引き剥し試験（引張速度：３００ｍｍ／分）に準拠］であることが望ましい。
【０１５１】
仮止め層の形成方法としては、例えば、支持体の所定の面における所定の部位上に、熱溶融されたホットメルト型仮止め剤を直接塗工して冷却する方法（ホットメルト塗工方法）や、乾燥後の厚さが所定の厚さがとなるように溶液型の仮止め剤を塗工して乾燥する方法（溶液塗工方法）などが挙げられる。なお、ホットメルト型仮止め剤を塗工する際には、いわゆる「ベタ状」、霧状、パターン状などの各種形状で塗工することができる。
【０１５２】
仮止め層の厚みとしては、特に限定するものではないが、例えば、５〜６０μｍ（好ましくは１０〜４０μｍ）程度の範囲から選択することができる。
【０１５３】
（つまみ部用印刷層）
本発明の折り畳み型粘着テープ又はシートでは、つまみ部に印刷層（つまみ部用印刷層）が形成されていてもよい。つまみ部用印刷層は、つまみ部を明確に示すために形成されている。従って、つまみ部用印刷層は、つまみ部を明確に示す必要がない場合は、形成されていなくてもよい。すなわち、つまみ部用印刷層は、任意に設けることができる。つまみ部用印刷層は、公知の各種印刷方法を適宜利用して形成することができる。なお、つまみ部用印刷層を形成する印刷インキなどは特に制限されず、印刷方法等に応じて公知の印刷インキから適宜選択することができる。
【０１５４】
（他の層）
なお、本発明の折り畳み型粘着テープ又はシートでは、適宜な部位において、必要に応じて粘着剤層、離型処理層、仮着剤層や、仮止め層などの他の層を形成することができる。このような他の層は、前記に記載の粘着剤、離型処理剤、仮着剤、仮止め剤などから適宜選択して用いることができる。
【０１５５】
本発明の折り畳み型粘着テープ又はシートとしては、貼付時表面側部位に離型処理層（貼付粘着剤層用離型処理層）が形成されている場合、（１）複数の折り畳み型粘着テープ又はシートが、貼付粘着剤層の表面と、貼付粘着剤層用離型処理層（特に、電離性放射線硬化型離型処理剤による離型処理層）の表面とが接触するように重ね合わせて積層された形態、（２）折り畳み型粘着テープ又はシートが連続的に形成されている長尺状の連続体を、貼付粘着剤層の表面と、貼付粘着剤層用離型処理層（特に、電離性放射線硬化型離型処理剤による離型処理層）の表面とが接触するようにロール状に重ね合わせて巻回した形態で作製することができる。もちろん、Ｓ字型折り畳み型粘着テープ又はシートでは、仮止め層も貼付時表面側部位に形成された離型処理層（特に、電離性放射線硬化型離型処理剤による離型処理層）と貼り合わせられることになる。
【０１５６】
すなわち、本発明では、前記折り畳み型粘着テープ又はシートが折り畳まれた状態で連続的に形成されている長尺状の連続体を、ロール状に巻回した形態を有している粘着テープ又はシートの巻回体として、折り畳み型粘着テープ又はシートを製造することができる。なお、折り畳み型粘着テープ又はシートがロール状に巻回された形態を有している場合は、利用時に、巻き戻して適宜な幅に切断することにより、適宜な幅の折り畳み型粘着テープ又はシートを得ることができる。
【０１５７】
（折り畳み型粘着テープ又はシートの製造方法）
本発明の折り畳み型粘着テープ又はシートは、公知の製造方法を利用して製造することができる。例えば、折り畳み型粘着テープ又はシートは、各粘着剤層（貼付粘着剤層、展開粘着剤層、固定粘着剤層など）、各仮着剤層、各仮止め層、各離型処理層、および必要に応じてつまみ部用印刷層などの各層を形成する工程（各層形成工程）と、各部位が所定の位置関係で形成されるように接着したり折り畳んだりする工程（各部位形成工程）とを具備する製造方法により作製することができる。なお、不織布製基材とプラスチック製基材とを一体化させた支持体を利用する場合は、折り畳み型粘着テープ又はシートの製造方法としては、さらに、不織布製基材とプラスチック製基材とを一体化させる工程（支持体一体化工程）を具備していることが重要である。また、折り畳み型粘着テープ又はシートとして、ロール状に巻回されたものを製造する場合は、折り畳み型粘着テープ又はシートの製造方法としては、さらに、貼付粘着剤層の表面と、貼付粘着剤層用離型処理層の表面とが接触するようにロール状に重ね合わせて巻回する工程（巻回工程）を具備していることが重要である。
【０１５８】
より具体的には、図１で示されるＺ字型折り畳み型粘着テープ又はシートは、例えば、下記の工程を具備する製造方法により作製することができる。
不織布製基材及び／又はプラスチック製基材の所定の面における所定の部位に一体化粘着剤層を形成する工程
不織布製基材とプラスチック製基材とを一体化粘着剤層を利用して接着させて、一体化した支持体を形成する工程
支持体の所定の面における所定の部位に貼付粘着剤層を形成する工程
支持体の所定の面における所定の部位に展開粘着剤層を形成する工程
支持体の所定の面における所定の部位に第１仮着剤層を形成する工程
支持体の所定の面における所定の部位に第２仮着剤層を形成する工程
支持体の所定の面における所定の部位に展開粘着剤層用離型処理層を形成する工程
貼付部位と折り目部間部位とが所定の位置関係で形成されるように、一体化した支持体を折り畳む工程
展開部位と折り目部間部位とが所定の位置関係で形成されるように、一体化した支持体を折り畳む工程
【０１５９】
また、必要に応じて、さらに下記の工程を含んでいてもよい。
支持体の所定の面における所定の部位に貼付粘着剤層用離型処理層を形成する工程
支持体の所定の面における所定の部位につまみ部用印刷層を形成する工程
貼付粘着剤層の表面と、貼付粘着剤層用離型処理層の表面とが接触するようにロール状に重ね合わせて巻回する工程
【０１６０】
また、図２で示されるＷ字型折り畳み型粘着テープ又はシートは、例えば、下記の工程を具備する製造方法により作製することができる。
不織布製基材及び／又はプラスチック製基材の所定の面における所定の部位に一体化粘着剤層を形成する工程
不織布製基材とプラスチック製基材とを一体化粘着剤層を利用して接着させて、一体化した支持体を形成する工程
支持体の所定の面における所定の部位に貼付粘着剤層を形成する工程
支持体の所定の面における所定の部位に固定粘着剤層を形成する工程
支持体の所定の面における所定の部位に展開粘着剤層を形成する工程
支持体の所定の面における所定の部位に第１仮着剤層を形成する工程
支持体の所定の面における所定の部位に第２仮着剤層を形成する工程
支持体の所定の面における所定の部位に固定粘着剤層用離型処理層を形成する工程
支持体の所定の面における所定の部位に展開粘着剤層用離型処理層を形成する工程
貼付部位と貼付側折り目部間部位とが所定の位置関係で形成されるように、一体化した支持体を折り畳む工程
貼付側折り目部間部位と展開側折り目部間部位とが所定の位置関係で形成されるように、一体化した支持体を折り畳む工程
展開部位と展開側折り目部間部位とが所定の位置関係で形成されるように、一体化した支持体を折り畳む工程
【０１６１】
また、必要に応じて、さらに下記の工程を含んでいてもよい。
支持体の所定の面における所定の部位に貼付粘着剤層用離型処理層を形成する工程
支持体の所定の面における所定の部位につまみ部用印刷層を形成する工程
貼付粘着剤層の表面と、貼付粘着剤層用離型処理層の表面とが接触するようにロール状に重ね合わせて巻回する工程
【０１６２】
さらに、図３で示されるＳ字型折り畳み型粘着テープ又はシートは、例えば、下記の工程を具備する製造方法により作製することができる。
不織布製基材及び／又はプラスチック製基材の所定の面における所定の部位に一体化粘着剤層を形成する工程
不織布製基材とプラスチック製基材とを一体化粘着剤層を利用して接着させて、一体化した支持体を形成する工程
支持体の所定の面における所定の部位に貼付粘着剤層を形成する工程
支持体の所定の面における所定の部位に展開粘着剤層を形成する工程
支持体の所定の面における所定の部位に仮止め層を形成する工程
支持体の所定の面における所定の部位に展開粘着剤層用離型処理層を形成する工程
貼付部位と折り目部間部位とが所定の位置関係で形成されるように、一体化した支持体を折り畳む工程
展開部位と折り目部間部位とが所定の位置関係で形成されるように、一体化した支持体を折り畳む工程
【０１６３】
また、必要に応じて、さらに下記の工程を含んでいてもよい。
支持体の所定の面における所定の部位に貼付粘着剤層用離型処理層を形成する工程
支持体の所定の面における所定の部位につまみ部用印刷層を形成する工程
貼付粘着剤層の表面と、貼付粘着剤層用離型処理層の表面とが接触するようにロール状に重ね合わせて巻回する工程
【０１６４】
さらにまた、４つ折り型折り畳み型粘着テープ又はシートは、例えば、下記の工程を具備する製造方法により作製することができる。
不織布製基材及び／又はプラスチック製基材の所定の面における所定の部位に一体化粘着剤層を形成する工程
不織布製基材とプラスチック製基材とを一体化粘着剤層を利用して接着させて、一体化した支持体を形成する工程
支持体の所定の面における所定の部位に貼付粘着剤層を形成する工程
支持体の所定の面における所定の部位に固定粘着剤層を形成する工程
支持体の所定の面における所定の部位に展開粘着剤層を形成する工程
支持体の所定の面における所定の部位に第１仮着剤層を形成する工程
支持体の所定の面における所定の部位に第２仮着剤層を形成する工程
支持体の所定の面における所定の部位に固定粘着剤層用離型処理層を形成する工程
支持体の所定の面における所定の部位に展開粘着剤層用離型処理層を形成する工程
貼付部位と展開部位とが所定の位置関係で形成され、且つ展開側折り目部間部位と外面側折り目部間部位とが位置関係で形成されるように、一体化した支持体を折り畳む工程
展開部位と展開側折り目部間部位とが所定の位置関係で形成されるように、一体化した支持体を折り畳む工程
【０１６５】
また、必要に応じて、さらに下記の工程を含んでいてもよい。
支持体の所定の面における所定の部位に貼付粘着剤層用離型処理層を形成する工程
支持体の所定の面における所定の部位につまみ部用印刷層を形成する工程
貼付粘着剤層の表面と、貼付粘着剤層用離型処理層の表面とが接触するようにロール状に重ね合わせて巻回する工程
【０１６６】
なお、前記に例示の製造方法では、不織布製基材とプラスチック製基材とを一体化粘着剤層を利用して接着させて、一体化した支持体を形成させた後、各粘着剤層（貼付粘着剤層、展開粘着剤層、固定粘着剤層など）、各仮着剤層、各仮止め層、各離型処理層、および必要に応じてつまみ部用印刷層などの各層を形成する工程（各層形成工程）と、各部位が所定の位置関係で形成されるように接着したり折り畳んだりする工程（各部位形成工程）とを行っているが、先に、不織布製基材やプラスチック製基材に対して、各粘着剤層（貼付粘着剤層、展開粘着剤層、固定粘着剤層など）、各仮着剤層、各仮止め層、各離型処理層、および必要に応じてつまみ部用印刷層などの各層を形成する工程（各層形成工程）を行った後、不織布製基材とプラスチック製基材とを一体化粘着剤層を利用して接着させて、一体化した支持体を形成させて、さらにその後、各部位が所定の位置関係で形成されるように接着したり折り畳んだりする工程（各部位形成工程）を行ってもよく、あるいは、先に、不織布製基材やプラスチック製基材に対して、各粘着剤層（貼付粘着剤層、展開粘着剤層、固定粘着剤層など）、各仮着剤層、各仮止め層、各離型処理層、および必要に応じてつまみ部用印刷層などの各層を形成する工程（各層形成工程）を行った後、各部位が所定の位置関係で形成されるように接着したり折り畳んだりする工程（各部位形成工程）を行い、さらにその後、不織布製基材とプラスチック製基材とを一体化粘着剤層を利用して接着させて、一体化した支持体を形成させてもよい。このように、各工程の順序は特に制限されず、適宜な順序とすることができる。
【０１６７】
本発明の折り畳み型粘着テープ又はシートは、前記構成を有しているので、容易に展開することができる形態で折り畳まれており、しかも、風合いがよい。また、不織布等の繊維質材料による表面を有する物品に貼付させた際には目立たず、貼付する物品と一体化されたような外観で貼付することができる。そのため、本発明の折り畳み型粘着テープ又はシートとしては、各種物品を丸めた状態で保持させるための拘束用粘着テープ又はシートとして有用であり、特に、破棄する際に丸めることが可能な物品に予め貼付して、該物品を廃棄する際に長尺状に展開させて、物品を丸めた状態で保持させるための拘束用粘着テープ又はシートとして好適に用いることができる。このような物品としては、特に制限されないが、紙おむつ（又は使い捨ておむつ等とも称されている）［特に、いわゆる「パンツ型紙おむつ」（又は「パンツ型使い捨ておむつ」等とも称されている）］や生理ナプキン等が好適である。
【０１６８】
［紙おむつ］
本発明の紙おむつ（使い捨ておむつ）は、紙おむつを廃棄する際に丸めた状態で保持させるための拘束用粘着テープ又はシートとして、前記折り畳み型粘着テープ又はシートが用いられている。紙おむつは、通常、表面（外面）が不織布等の繊維質材料により形成されているので、前記折り畳み型粘着テープ又はシートを紙おむつに貼付した場合、折り畳み型粘着テープ又はシートが目立たず、紙おむつと一体化したような外観で貼付することができる。
【０１６９】
このような紙おむつとしては、いわゆる「テープ付き紙おむつ」（又は「テープ付き使い捨ておむつ」、「オープンタイプ紙おむつ」、「オープンタイプ使い捨ておむつ」等とも称されている）であってもよいが、パンツ型紙おむつが好適に用いられる。なお、紙おむつとしては、大人用紙おむつ乃至乳幼児用紙おむつのいずれであってもよいが、乳幼児用紙おむつが好適である。
【０１７０】
折り畳み型粘着テープ又はシートを紙おむつに貼付する部位としては、特に制限されないが、乳幼児のいたずら防止等の観点から、図１１で示されるように、紙おむつの背側表面におけるウエスト部の上下幅領域内に位置する部位（図１１における７ａ）が好ましい。
【０１７１】
なお、図１１はパンツ型紙おむつの一例を示す概略図である。図１１において、７はパンツ型紙おむつ、７ａはパンツ型紙おむつの背側表面におけるウエスト部の上下幅領域内に位置する部位、７ｂはウエスト部の開口部、Ａはパンツ型紙おむつの背側、Ｂはパンツ型紙おむつのウエスト側、Ｃはパンツ型紙おむつの前側である。
【０１７２】
折り畳み型粘着テープ又はシートを紙おむつに貼付する際には、その長手方向（長尺状に展開させた際の長手方向）は、紙おむつの胴回り方向、上下方向のいずれの方向になるように貼付してもよいが、Ｚ字型折り畳み型粘着テープやシートやＳ字型折り畳み型粘着テープ又はシートは上下方向になるように貼付されていることが好ましく、Ｗ字型折り畳み型粘着テープ又はシートや４つ折り型折り畳み型粘着テープ又はシートは、胴回り方向になるように貼付されていることが好ましい。すなわち、Ｚ字型折り畳み型粘着テープやシートやＳ字型折り畳み型粘着テープ又はシートは、紙おむつの背側表面におけるウエスト部の上下幅領域内に位置する部位に、ウエスト部の開口部方向に展開させることが可能な形態で貼付されていることが好ましい。一方、Ｗ字型折り畳み型粘着テープ又はシートや４つ折り型折り畳み型粘着テープ又はシートは、紙おむつの背側表面におけるウエスト部の上下幅領域内に位置する部位に、ウエスト部のウエスト側を経由して前側に展開させることが可能な形態で貼付されていることが好ましい。なお、本発明の折り畳み型粘着テープ又はシートでは、長尺状に展開した際の長さは、紙おむつを丸めた状態で拘束して保持させるのに十分な長さとすることができる。
【０１７３】
なお、折り畳み型粘着テープ又はシートを、紙おむつの背側表面におけるウエスト部の上下幅領域内に位置する部位に、長手方向が上下方向となり且つウエスト部の開口部方向に展開させることが可能な形態で貼付する場合、折り畳み型粘着テープ又はシートとしては、１つ乃至２つ以上用いることができるが、図１２（ａ）で示されるように、１つのみ用いることが好ましい。一方、折り畳み型粘着テープ又はシートを、紙おむつの背側表面におけるウエスト部の上下幅領域内に位置する部位に、長手方向が胴回り方向となるように貼付する場合、折り畳み型粘着テープ又はシートとしては、１つ乃至２つ以上用いることができるが、図１２（ｂ）で示されるように、２つ用いることが好ましい。
【０１７４】
図１２は、本発明の折り畳み型粘着テープ又はシートが貼付されている紙おむつの一例を示す概略図であり、図１２（ａ）は折り畳み型粘着テープ又はシートを、長手方向が上下方向となるように貼付されている紙おむつの例を示しており、図１２（ｂ）は折り畳み型粘着テープ又はシートを、長手方向が胴回り方向となるように貼付されている紙おむつの例を示している。図１２において、８ａはＺ字型折り畳み型粘着テープ又はシート又はＳ字型折り畳み型粘着テープ又はシート、８ｂはＷ字型折り畳み型粘着テープ又はシート又は４つ折り型折り畳み型粘着テープ又はシートである。なお、７、Ａは、前記と同様に、それぞれ、紙おむつ、パンツ型紙おむつの背側である。
【０１７５】
なお、折り畳み型粘着テープ又はシートを、紙おむつの背側表面におけるウエスト部の上下幅領域内に位置する部位に、ウエスト部の開口部方向に展開させることが可能な形態で貼付すると、紙おむつを破棄する際には、例えば、紙おむつの股に位置する部分から前側に胴に位置する方向に丸め、この状態で、折り畳み型粘着テープ又はシートを展開させ展開粘着剤層を利用して貼付して拘束することができる。
【０１７６】
一方、折り畳み型粘着テープ又はシートを、紙おむつの背側表面におけるウエスト部の上下幅領域内に位置する部位に、長手方向が胴回り方向となるように貼付すると、紙おむつを破棄する際には、紙おむつの股に位置する部分から前側に胴に位置する方向に丸めた後、さらに、両側のウエスト部を前側に丸め、この状態で、折り畳み型粘着テープ又はシートを展開させ展開粘着剤層を利用して貼付して拘束することができるので、長手方向が上下方向となるように貼付した場合と比較して、ウエスト部を前側に丸めることも可能となっているため、より一層コンパクトに紙おむつを丸めることができる。そのため、ゴミの減量を図ることもできる。特に、両側のウエスト部を前側に丸めて拘束することができるので、丸めた際に排泄物が、流動性の高い排泄物であっても、紙おむつの足を通す部分から漏れることを効果的に抑制または防止することができる。そのため、紙おむつの股に位置する部分から胴に位置する方向のみに丸めた場合よりも、より一層衛生的に、紙おむつを丸めた状態で廃棄することができる。
【０１７７】
なお、折り畳み型粘着テープ又はシートは容易に長尺状に展開することができるので、紙おむつの交換に要する時間を短縮することができ、おむつ交換をより一層迅速に行うことができる。
【０１７８】
また、前記折り畳み型粘着テープ又はシートは、支持体の各部位間で浮きがほとんど又は全く生じておらず、しかも、折り畳まれているにもかかわらず極めて薄いので、紙おむつに予め貼付していても、紙おむつ（特にパンツ型紙おむつ）の外観性は良好である。
【実施例】
【０１７９】
以下、実施例を挙げて本発明をより具体的に説明するが、本発明は実施例のみに限定されるものではない。
【０１８０】
（実施例１）
支持体として、ポリプロピレン製不織布（商品名「シンテックス」三井化学社製；厚み２８０μｍ）の一方の面に、低密度ポリエチレン（商品名「エースポリエチＬＤ」昭和電工社製；坪量：２０ｇ／ｍ２）をラミネートして形成した積層体（「不織布ラミネート基材」と称する場合がある）を用い、図１３（ａ）に示されるように、該不織布ラミネート基材９ａ１（幅：６５ｍｍ）の所定の面の所定の部位に、それぞれ、シリコーン系離型処理剤（商品名「ＵＶ−９３００」ＧＥ東芝シリコーン社製）を厚みが０．５μｍとなるように塗布し硬化して、離型処理層９ａ２（幅：６５ｍｍ）を形成した後、ホットメルト型粘着剤（商品名「Ｎ−９４１」ヤスハラケミカル社製；スチレン系ブロック共重合体をベースポリマーとするホットメルト型粘着剤）を厚みが４０μｍとなるように塗布して、展開粘着剤層９ａ３（幅：４０ｍｍ）および一体化粘着剤層９ａ４（幅：１５ｍｍ）を形成して、展開部位として用いられる支持体（展開用支持体）９ａ（幅：６５ｍｍ）を作製した。従って、摘み部は１０ｍｍとなる。
【０１８１】
一方、支持体としてポリプロピレン製シート（商品名「トレファン」東レ社製；厚み４０μｍ）を用い、図１３（ｂ）に示されるように、該ポリプロピレン製シート９ｂ１（幅：９２ｍｍ）の所定の面の所定の部位に、それぞれ、仮着剤（商品名「ＪＭ−６０６５Ｃ」日本フーラー社製）を厚みが１０μｍとなるように塗布して、仮着剤層９ｂ２（幅：９２ｍｍ）を形成した後、シリコーン系離型処理剤（商品名「ＵＶ−９３００」ＧＥ東芝シリコーン社製）を厚みが０．５μｍとなるように塗布し硬化して、離型処理層９ｂ３（幅：４５ｍｍ）を形成し、さらに、ホットメルト型粘着剤（商品名「Ｎ−９４１」ヤスハラケミカル社製；スチレン系ブロック共重合体をベースポリマーとするホットメルト型粘着剤）を厚みが５０μｍとなるように塗布して、貼付粘着剤層９ｂ４（幅：４７ｍｍ）を形成して、貼付部位として用いられる支持体（貼付用支持体）９ｂ（幅：９２ｍｍ）を作製した。
【０１８２】
前記展開用支持体９ａと、前記貼付用支持体９ｂとを、図１３（ｃ）に示されるように、それぞれ、所定の部位で折り曲げて、展開用支持体９ａにおける一体化粘着剤層９ａ４と、貼付用支持体９ｂにおける仮着剤層９ｂ２の一方の端部側の部位とが接触するように重ね合わせてロール状に巻回させることにより、特定の構成を有する形態で折り畳まれた状態のロール状に巻回された形態の粘着テープ又はシート（折り畳み型粘着テープ又はシート）９を作製した。
【０１８３】
なお、図１３は、実施例１において、折り畳み型粘着テープ又はシートを作製する方法を示す概略断面図である。図１３において、９は折り畳み型粘着テープ又はシート、９ａは展開部位として用いられる支持体（展開用支持体）、９ａ１は不織布ラミネート基材（ポリプロピレン製不織布の一方の面に低密度ポリエチレンをラミネートして形成した積層体）、９ａ２は離型処理層、９ａ３は展開粘着剤層、９ａ４は一体化粘着剤層、９ｂは貼付部位として用いられる支持体（貼付用支持体）、９ｂ１はポリプロピレン製シート、９ｂ２は仮着剤層、９ｂ３は離型処理層、９ｂ４は貼付粘着剤層である。
【０１８４】
このロール状に巻回された形態の折り畳み型粘着テープ又はシートを、巻き戻して、２０ｍｍ幅に切断して得られる折り畳み型粘着テープ又はシートを、パンツ型紙おむつの背側表面におけるウエスト部の上下幅領域内に位置する部位に、長手方向が上下方向となり、且つ、ウエスト部の開口部方向に展開させることが可能な形態で貼付して、図１２（ａ）で示されるような、折り畳み型粘着テープ又はシートが設けられたパンツ型紙おむつを作製した。
【０１８５】
（評価）
実施例により作製された折り畳み型粘着テープ又はシートが設けられたパンツ型紙おむつを、任意に選ばれた２０人の親とその子（１〜２歳）に、通常使用する要領で使用してもらい、その際に、折り畳み型粘着テープ又はシートが設けられたパンツ型紙おむつの外観性や、柔らかさを評価してもらい、さらに、パンツ型紙おむつを廃棄する際に、パンツ型紙おむつに設けられた折り畳み型粘着テープ又はシートを展開する時の使用感について評価してもらったところ、表１に示される結果が得られた。
【０１８６】
【表１】
2006045417.tif 000003
【０１８７】
表１より、実施例１により得られた折り畳み型粘着テープ又はシートが設けられているパンツ型紙おむつは、紙おむつと、折り畳み型粘着テープ又はシートとの一体感があり、折り畳み型粘着テープ又はシートが目立たなくなっており、子供が安易に折り畳み型粘着テープ又はシートに触る危険性が低減していることが確認された。また、従来のパンツ型紙おむつに設けられている廃棄用の粘着テープ又はシートは、支持体がプラスチック製のため、硬く感じられているが、実施例１に係る紙おむつでは、柔らかく、やさしく感じられることが確認された。さらにまた、紙おむつを廃棄する際には、折り畳み型粘着テープ又はシートが柔らかいので、貼付させやすく、良好な使用感で展開させ、貼付させることができることが確認された。
【図面の簡単な説明】
【０１８８】
【図１】本発明の粘着テープ又はシートの一例を示す概略断面図である。
【図２】本発明の粘着テープ又はシートの他の例を示す概略断面図である。
【図３】本発明の粘着テープ又はシートの他の例を示す概略断面図である。
【図４】本発明の粘着テープ又はシートの他の例を示す概略断面図である。
【図５】本発明の粘着テープ又はシートの他の例を示す概略断面図である。
【図６】本発明の粘着テープ又はシートの他の例を示す概略断面図である。
【図７】本発明の粘着テープ又はシートの他の例を示す概略断面図である。
【図８】本発明の粘着テープ又はシートの他の例を示す概略断面図である。
【図９】本発明の粘着テープ又はシートの他の例を示す概略断面図である。
【図１０】本発明の粘着テープ又はシートの他の例を示す概略断面図である。
【図１１】パンツ型紙おむつの一例を示す概略図である。
【図１２】本発明の折り畳み型粘着テープ又はシートが貼付されている紙おむつの一例を示す概略図である。
【図１３】実施例１において、折り畳み型粘着テープ又はシートを作製する方法を示す概略断面図である。
【符号の説明】
【０１８９】
１        粘着テープ又はシート
１ａ１    つまみ部が形成された端部（つまみ部形成端部）
１ａ２    つまみ部が形成されていない端部（つまみ部非形成端部）
１ａ３    Ｚ字状（Ｓ字状）に２回折り曲げて折り畳まれた構成におけるつまみ部非形成端部１ａ２側から１つ目の折り目部（第１折り目部）
１ａ４    Ｚ字状に２回折り曲げて折り畳まれた構成におけるつまみ部非形成端部１ａ２側から２つ目の折り目部（第２折り目部）
１ｂ１    つまみ部が形成された端部側の部位（展開部位）
１ｂ２    つまみ部が形成されていない端部側の部位（貼付部位）
１ｂ３    展開部位１ｂ１と貼付部位１ｂ２との間の部位（折り目部間部位）
２ａ      不織布製基材
２ｂ      プラスチック製基材
３ａ      粘着剤層（貼付粘着剤層）
３ｂ      仮着剤層（第１仮着剤層）
３ｃ      仮着剤層（第２仮着剤層）
３ｄ      粘着剤層（一体化粘着剤層）
３ｅ      離型処理層（展開粘着剤層用離型処理層）
３ｆ      粘着剤層（展開粘着剤層）
３ｇ      離型処理層（貼付粘着剤層用離型処理層）
３ｈ      つまみ部
１１      粘着テープ又はシート
１１ａ１  つまみ部が形成された端部（つまみ部形成端部）
１１ａ２  つまみ部が形成されていない端部（つまみ部非形成端部）
１１ａ３  Ｗ字状に３回折り曲げて折り畳まれた構成におけるつまみ部非形成端部１１ａ２側から１つ目の折り目部（第１折り目部）
１１ａ４  Ｗ字状に３回折り曲げて折り畳まれた構成におけるつまみ部非形成端部１１ａ２側からから２つ目の折り目部（第２折り目部）
１１ａ５  Ｗ字状に３回折り曲げて折り畳まれた構成におけるつまみ部非形成端部１１ａ２側からから３つ目の折り目部（第３折り目部）
１１ｂ１  つまみ部が形成された端部側の部位（展開部位）
１１ｂ２  つまみ部が形成されていない端部側の部位（貼付部位）
１１ｂ３  貼付部位１１ｂ２と対向している折り目部間の部位（貼付側折り目部間部位）
１１ｂ４  展開部位１１ｂ１と対向している折り目部間の部位（展開側折り目部間部位）
２１ａ    不織布製基材
２１ｂ    プラスチック製基材
３１ａ    粘着剤層（貼付粘着剤層）
３１ｂ    離型処理層（固定粘着剤層用離型処理層）
３１ｃ    は粘着剤層（固定粘着剤層）
３１ｄ    仮着剤層（第１仮着剤層）
３１ｅ    仮着剤層（第２仮着剤層）
３１ｆ    粘着剤層（一体化粘着剤層）
３１ｇ    離型処理層（展開粘着剤層用離型処理層）
３１ｈ    粘着剤層（展開粘着剤層）
３１ｉ    離型処理層（貼付粘着剤層用離型処理層）
３１ｊ    つまみ部
１２      粘着テープ又はシート
１２ａ１  つまみ部が形成された端部（つまみ部形成端部）
１２ａ２  つまみ部が形成されていない端部（つまみ部非形成端部）
１２ａ３  Ｚ字状（Ｓ字状）に２回折り曲げて折り畳まれた構成におけるつまみ部非形成端部１２ａ２側から１つ目の折り目部（第１折り目部）
１２ａ４  Ｚ字状に２回折り曲げて折り畳まれた構成におけるつまみ部非形成端部１２ａ２側から２つ目の折り目部（第２折り目部）
１２ｂ１  つまみ部が形成された端部側の部位（展開部位）
１２ｂ２  つまみ部が形成されていない端部側の部位（貼付部位）
１２ｂ３  展開部位１２ｂ１と貼付部位１２ｂ２との間の部位（折り目部間部位）
２２ａ    不織布製基材
２２ｂ    プラスチック製基材
３２ａ    粘着剤層（貼付粘着剤層）
３２ｂ    仮止め層
３２ｃ    粘着剤層（一体化粘着剤層）
３２ｄ    離型処理層（展開粘着剤層用離型処理層）
３２ｅ    粘着剤層（展開粘着剤層）
３２ｆ    離型処理層（貼付粘着剤層用離型処理層）
３２ｇ    つまみ部
Ｘ        貼付部位１２ｂ２の長さ
Ｙ        １−２折り目部間部位１２ｂ３の長さ
Ｚ        展開部位１２ｂ１の長さ
１３      粘着テープ又はシート
１３ａ１  つまみ部が形成された端部（つまみ部形成端部）
１３ａ２  つまみ部が形成されていない端部（つまみ部非形成端部）
１３ａ３  つまみ部形成端部１３ａ１がつまみ部非形成端部１３ａ２より突出した状態となるように折り畳まれ、且つ前記折り畳まれた際の折り目部がつまみ部形成端部１３ａ１側の面に、該つまみ部形成端部１３ａ１よりも手前側に位置する状態となるように折り畳まれた構成におけるつまみ部非形成端部１３ａ２側から１つ目の折り目部（第１折り目部）
１３ａ４  つまみ部形成端部１３ａ１がつまみ部非形成端部１３ａ２より突出した状態となるように折り畳まれ、且つ前記折り畳まれた際の折り目部がつまみ部形成端部１３ａ１側の面に、該つまみ部形成端部１３ａ１よりも手前側に位置する状態となるように折り畳まれた構成におけるつまみ部非形成端部１３ａ２側から２つ目の折り目部（第２折り目部）
１３ａ５  つまみ部形成端部１３ａ１がつまみ部非形成端部１３ａ２より突出した状態となるように折り畳まれ、且つ前記折り畳まれた際の折り目部がつまみ部形成端部１３ａ１側の面に、該つまみ部形成端部１３ａ１よりも手前側に位置する状態となるように折り畳まれた構成におけるつまみ部非形成端部１３ａ２側から３つ目の折り目部（第３折り目部）
１３ｂ１  つまみ部が形成された端部側の部位（展開部位）
１３ｂ２  つまみ部が形成されていない端部側の部位（貼付部位）
１３ｂ３  展開部位１３ｂ１と対向している折り目部間の部位（展開側折り目部間部位）
１３ｂ４  展開側折り目部間部位１３ｂ３と対向している外面側の折り目部間の部位（外面側折り目部間部位）
２３ａ    プラスチック製基材
２３ｂ    不織布製基材
２３ｃ    プラスチック製基材
３３ａ    粘着剤層（貼付粘着剤層）
３３ｂ    粘着剤層（貼付側一体化粘着剤層）
３３ｃ    粘着剤層（固定粘着剤層）
３３ｄ    離型処理層（固定粘着剤層用離型処理層）
３３ｅ    粘着剤層（展開粘着剤層）
３３ｆ    離型処理層（展開粘着剤層用離型処理層）
３３ｇ    粘着剤層（展開側一体化粘着剤層）
３３ｈ    仮着剤層（第１仮着剤層）
３３ｉ    仮着剤層（第２仮着剤層）
３３ｊ    離型処理層（貼付粘着剤層用離型処理層）
３３ｋ    つまみ部
７        パンツ型紙おむつ
７ａ      パンツ型紙おむつの背側表面におけるウエスト部の上下幅領域内に位置する部位
７ｂ      ウエスト部の開口部
８ａ      Ｚ字型折り畳み型粘着テープ又はシート又はＳ字型折り畳み型粘着テープ又はシート
８ｂ      Ｗ字型折り畳み型粘着テープ又はシート又は４つ折り型折り畳み型粘着テープ又はシート
Ａ        パンツ型紙おむつの背側
Ｂ        パンツ型紙おむつのウエスト側
Ｃ        パンツ型紙おむつの前側
【図１】
2006045417.tif 000004
【図２】
2006045417.tif 000005
【図３】
2006045417.tif 000006
【図４】
2006045417.tif 000007
【図５】
2006045417.tif 000008
【図６】
2006045417.tif 000009
【図７】
2006045417.tif 000010
【図８】
2006045417.tif 000011
【図９】
2006045417.tif 000012
【図１０】
2006045417.tif 000013
【図１１】
2006045417.tif 000014
【図１２】
2006045417.tif 000015
【図１３】
2006045417.tif 000016